(57)【要約】１つの観点では、ＭＭＥノードは、ＵＥレート制御情報（例えば絞りファクタまたは絞り遅延）を通信すること等により、ＵＥが制御プレーンで送信するＵＬデータの量または頻度を絞る（または、それ以外では制御する）。例えば、ＭＭＥは、ＵＥに送信されたＮＡＳメッセージにおいて絞りファクタおよび／または絞り遅延を加えることにより、制御プレーンＣＩｏＴ  ＥＰＳ最適化を使用して送信されるユーザデータを伴うＮＡＳメッセージ（すなわちＮＡＳデータＰＤＵ）を絞り得る。【選択図】図３
2019506076.tif 000002
【特許請求の範囲】
【請求項１】
モビリティ管理エンティティ（ＭＭＥ）（１０５）において実行されるレート制御方法であって、
前記ＭＭＥが、無線通信デバイス（ＷＣＤ）により送信されたアップリンク（ＵＬ）非アクセス層（ＮＡＳ）メッセージを受信すること（３０２）と、
前記ＭＭＥが、前記ＵＬ  ＮＡＳメッセージを受信したことに応答して、ＤＬ  ＮＡＳメッセージを生成し（３０６）、前記ＤＬ  ＮＡＳメッセージを前記ＷＣＤに向かって送信すること（３０８）を含み、前記ＭＭＥにより送信された前記ＤＬ  ＮＡＳメッセージは、ある時間期間内で、前記ＷＣＤが前記ＭＭＥに送信することが許容されているユーザデータを含むＵＬ  ＮＡＳメッセージの数を示す情報を含む、方法。
【請求項２】
請求項１に記載のレート制御方法であって、前記ＤＬ  ＮＡＳメッセージに含まれる前記情報により示される前記ＵＬ  ＮＡＳメッセージの数はゼロである、方法。
【請求項３】
請求項１または２に記載のレート制御方法であって、前記ＵＬ  ＮＡＳメッセージはアタッチ要求を含む、方法。
【請求項４】
請求項１から３のいずれか１項に記載のレート制御方法であって、前記ＭＭＥにより送信された前記ＤＬ  ＮＡＳメッセージは、前記ある時間期間を示す情報を含む、方法。
【請求項５】
請求項１から４のいずれか1項に記載の方法であって、
前記ＷＣＤにより送信された前記ＵＬ  ＮＡＳメッセージは、ユーザデータを含み、
前記方法は更に、前記ＭＭＥが、前記ユーザデータを別のデバイスに転送することを含む、方法。
【請求項６】
請求項１から４のいずれか１項にレート制御方法であって、更に、
前記ＭＭＥが、前記ＷＣＤにより送信された第２のＵＬ  ＮＡＳメッセージを受信することであって、前記第２のＵＬ  ＮＡＳメッセージは別のデバイス対象のユーザデータを含む、ことと、
前記ＭＭＥが、前記ＭＭＥが前記別のデバイスへ前記ユーザデータを転送しないように、前記ユーザデータを破棄することを含む、方法。
【請求項７】
モビリティ管理エンティティ（ＭＭＥ）（１０５）であって、
無線通信デバイス（ＷＣＤ）により送信されたアップリンク（ＵＬ）非アクセス層（ＮＡＳ）メッセージを受信するように動作可能なネットワークインタフェース（１２０５）と、
１つ以上のプロセッサ（１４５５）を含むデータ処理システム（１２０２）とを含み、前記データ処理システムは、前記ＭＭＥが前記ＵＬ  ＮＡＳメッセージを受信することに応答して、前記データ処理システムが、
ダウンリンク（ＤＬ）ＮＡＳメッセージを生成し、
前記ネットワークインタフェースを使用して前記ＤＬ  ＮＡＳメッセージを前記ＷＣＤに向けて送信するように構成され、
前記ＤＬ  ＮＡＳメッセージは、ある時間期間内で、ＷＣＤがＭＭ示す情報を含む、ＭＭＥ。
【請求項８】
請求項７に記載のＭＭＥであって、前記ＤＬ  ＮＡＳメッセージに含まれる前記情報により示される前記ＵＬ  ＮＡＳメッセージの数はゼロである、ＭＭＥ。
【請求項９】
請求項７または８に記載のＭＭＥであって、前記ＵＬ  ＮＡＳメッセージはアタッチ要求を含む、ＭＭＥ。
【請求項１０】
請求項７から９のいずれか１項に記載のＭＭＥであって、前記ＤＬ  ＮＡＳメッセージは前記ある時間期間を示す情報を含む、ＭＭＥ。
【請求項１１】
請求項７から１０のいずれか１項に記載のＭＭＥであって、
前記ＷＣＤにより送信された前記ＵＬ  ＮＡＳメッセージは、ユーザデータを含み、
前記データ処理システムは更に、前記ユーザデータを別のデバイスに転送するように構成される、ＭＭＥ。
【請求項１２】
請求項７から１０のいずれか１項に記載のＭＭＥであって、
ＭＭＥが、前記ＷＣＤにより送信された第２のＵＬ  ＮＡＳメッセージであって、別のデバイスを対象としたユーザデータを含む第２のＵＬ  ＮＡＳメッセージを受信することに応答して、前記データ処理システムは、前記ＭＭＥが前記ユーザデータを前記別のデバイスに転送しないように前記ユーザデータを破棄するように構成される、ＭＭＥ。
【請求項１３】
コアネットワーク（ＣＮ）の過負荷制御に対する方法であって、前記方法は、
ネットワークノード（１０５）が、負荷が閾値に達したかを判定すること（１００２）と、
前記負荷が前記閾値に達したと判定した後に、前記ネットワークノードが、基地局に対して、制御プレーンＣＩｏＴ  ＥＰＳの最適化を介したデータ転送のために、前記基地局が無線通信デバイス（ＷＣＤ）により送信された要求を拒否するように、前記基地局を構成するための情報を含む過負荷開始メッセージを送信すること（１００８）を含む、方法。
【請求項１４】
請求項１３に記載の方法であって、前記ネットワークノードは、モビリティ管理エンティティ（ＭＭＥ）である、方法。
【請求項１５】
モビリティ管理エンティティ（ＭＭＥ）（１０５）であって、
第1の無線通信デバイス（ＷＣＤ）により送信されたアップリンク（ＵＬ）非アクセス層（ＮＡＳ）のメッセージを受信するように動作可能なネットワークインタフェース（１２０５）と、
１つ以上のプロセッサ（１４５５）を含むデータ処理システム（１２０２）とを含み、前記データ処理システムは、負荷が閾値に達したと判定した後に、前記データ処理システムが、
過負荷開始メッセージを生成し、
前記ネットワークインタフェースを使用して前記過負荷開始メッセージを基地局に送信するように構成され、
前記過負荷開始メッセージは、制御プレーンＣＩｏＴ  ＥＰＳ最適化を介したデータ転送のために、前記基地局がＷＣＤにより送信された要求を拒否するように前記基地局を構成するための情報を含む、ＭＭＥ。
【請求項１６】
コアネットワーク（ＣＮ）の過負荷制御に対する方法（１１００）であって、前記方法は、
基地局（１０３）が、制御プレーンＣＩｏＴ  ＥＰＳ最適化を介したデータ転送のために、前記基地局が要求を拒否し得ることを示す情報を含む過負荷開始メッセージを、ネットワークノード（１０５）から受信すること（１１０２）と、
前記過負荷開始メッセージを受信した後に、前記基地局が、制御プレーンＣＩｏＴ  ＥＰＳ最適化を介したデータ転送のために、ＷＣＤから要求を受信すること（１１０４）と、
前記ＷＣＤから送信された前記要求を受信したことに応答して、前記基地局が、前記要求を拒否することを含む、方法。
【請求項１７】
基地局（１０３）であって、
データを無線通信デバイスに送信し、前記ＷＣＤから送信されたメッセージを受信するための送受信器（１５０７）と、
ネットワークノード（１０５）から送信された過負荷開始メッセージを受信するように動作可能なネットワークインタフェース（１２０５）であって、前記過負荷開始メッセージは、制御プレーンＣＩｏＴ  ＥＰＳ最適化を介したデータ転送のために、前記基地局がＷＣＤから送信された要求を拒否し得ることを前記基地局に示すための情報を含む、ネットワークインタフェースと、
１つ以上のプロセッサ（１４５５）を含むデータ処理システム（１２０２）を含み、前記データ処理システムは、前記基地局が前記過負荷開始メッセージを受信した後に、前記データ処理が、前記基地局が前記過負荷開始メッセージを受信した後にＷＣＤから受信された制御プレーンＣＩｏＴ  ＥＰＳ最適化を介したデータ伝送に対する要求を拒否するように前記基地局を構成するように構成される、基地局。
【発明の詳細な説明】
【技術分野】
【０００１】
本開示は、制御プレーンの最適化のためのデータレートを管理するためのシステム、方法、および装置に関する。
【背景技術】
【０００２】
３ＧＰＰは、セルラネットワークを用いて、インターネットオブシングス（ＩｏＴ）通信を容易にするための狭帯域無線技術を開発している。通信のためのこの開発には、TS 45.820とTR 23.720, バージョン1.2.0で規定されるように、少量の低頻度のデータに対するデータ送信を含む。このデータは、例えば、複雑性および消費電力において低いユーザ装置（ＵＥ）から来るものである。そのようなＵＥは、時に、セルラＩｏＴ（ＣＩｏＴ）デバイス（例えば、室内機器、センサ、医療デバイス）と称される。
【０００３】
この開発は更に、制御プレーンＣＩｏＴ ＥＰＳの最適化の導入を含み、それにより、TR 23.401 (CR 2942またはS2-160403)に対するチェンジリクエストにおいて規定されているような、進化型（evolved）パケットシステム（ＥＰＳ）におけるユーザデータ（別名“アップリンク（ＵＬ）データ”）の伝送が提供される。これは、非アクセス層（ＮＡＳ）シグナリングにおけるユーザデータの伝送を含み、また、無線リソース制御（ＲＲＣ）のＮＡＳ転送機能と、Ｓ１−ＡＰプロトコルと、モビリティ管理エンティティ（ＭＭＥ）とサービングゲートウェイ（ＳＧＷ）とパケットデータネットワークゲートウェイ（ＰＧＷ）との間のデータ伝送を使用することにより達成され得る。このような状況において、ＵＥは、ＮＡＳメッセージにおいて暗号化され、保全性保護がなされているやり方でアップリンクデータの一部を送信し、ＭＭＥに中継され得る。ＭＭＥは、アップリンク（ＵＬ）データを復号化し、そのＵＬデータを、ＳＧＷを介してＰＧＷへ送信し得る。
【発明の概要】
【０００４】
本開示は、制御プレーンにおいて運ばれるデータ（例えばＵＬデータ）のデータレートを制御することに関する。例えば、センサまたは他のＣＩｏＴデバイスは、ＬＴＥコアネットワークにおいてＭＭＥノードへ送信される制御メッセージ（例えば、ＮＡＳメッセージ。このようなＮＡＳメッセージは、ＮＡＳデータプロトコルデータユニット（ＰＤＵ）と称される）におけるＵＬデータを含む。しかし、制御プレーンにおいて（例えばＮＡＳデータＰＤＵにおいて）ＵＬデータを送信することは、制御プレーンも使用する制御シグナリング（例えば、無線リソース制御（ＲＲＣ）接続を確立する際に他のデバイスにより使用されるシグナリング）に対して潜在的に悪影響を及ぼす。したがって、制御プレーン上で送信されるデータ（例えばＵＬデータ）の量を制限する必要がある。これは、データレートを、例えば、最大ビットレート（ＭＢＲ）、統合最大ビットレート（ＡＭＢＲ）、ＵＥ統合最大ビットレート（ＵＥ−ＡＭＢＲ）、またはＵＥ制御プレーン統合最大ビットレート（ＵＥ−ＣＰ−ＡＭＢＲ）に制限することを含み得る。データレートは、ＵＥからのＵＬデータであって、ネットワーク（例えば、ＭＭＥノード、ＳＣＥＦ、ＳＧＷ、またはＰＧＷ）により中継されるデータに対して、および、ネットワークによりＵＥに中継されるＤＬデータに対して、制御される必要がある。ＤＬデータは、ＳＣＥＦノード（TS 23.682、CR 0154、 S2-160423、およびS2-154024に記載されている）により、ＷＣＤに中継され得る。ＤＬデータは、ＭＭＥノードを通過する必要がある。より具体的には、運搬のために制御プレーンを使用し得る。よって、このＤＬデータの送信は、制御シグナリングに対して使用され得る無線リソースと競合し得る。したがって、ＣＩｏＴおよび他のＵＥに対するＵＬとＤＬの両方のデータに対するデータレートを制御することには利点がある。
【０００５】
本開示は、具体的には、制御プレーンのエンドポイントである、ＭＭＥノードとＵＥとの間のＵＬデータレート制御を対処し、Ｔ６ａインタフェースのエンドポイントである、ＭＭＥノードとサービス能力公開機能（ＳＣＥＦ（service capability exposure function））ノードとの間のＤＬデータレート制御を対処する。
【０００６】
ＵＥデータレート制御に対しては、ＭＭＥノードは、ＵＥレート制御情報（例えば絞りファクタ（throttling factor）または絞り遅延（throttling delay））を通信すること等により、ＵＥが制御プレーンで送信するＵＬデータの量または頻度を絞ろうとする（または、それ以外では制御しようとする）。例えば、ＭＭＥは、ＮＡＳメッセージを受け入れて、ＵＥに送信されるＮＡＳメッセージにおいて絞りファクタおよび／または絞り遅延を加えることにより、制御プレーンＣＩｏＴ  ＥＰＳ最適化を使用して送信されるユーザデータ（すなわち、ＮＡＳデータＰＤＵ）を伴うＮＡＳメッセージを絞り得る。ＵＥは、ネットワークからの次のＮＡＳメッセージにおいて絞りが省略されるまで、または、絞り遅延時間が満了するまで、ＭＭＥにより送信された絞りファクタおよび／または絞り遅延に従うこととなる。例として、ＵＥは、基準（例えば、絞り遅延）が満たされるまで、制御プレーンＣＩｏＴ  ＥＰＳ最適化用いて、ユーザデータを伴う後続のＮＡＳメッセージの送信をやめる。別の例として、ＵＥは、後続のＮＡＳメッセージにおいて送信するユーザデータの量を削減し得る。ここで、削減の量は、絞りファクタにより（例えば、一般の動作の間に制御プレーンにおいて送信されるＵＬデータのパーセンテージとして）指定され得る。
【０００７】
ＵＥは、絞り遅延が満了したとき、または、ＭＭＥノードが絞りファクタおよび絞り遅延が省略される後続の制御メッセージ（例えば、ＮＡＳメッセージ）を通信するときに、一般の動作を再開する。また、ＭＭＥノードは、後続の制御メッセージにおいて、新しい絞りファクタまたは絞り遅延も提供し得る。最後に受信した絞りファクタと絞り遅延の値は、ＭＭＥノードから受信したあらゆる先の値に取って代わる。絞り遅延の受信により、ＵＥ絞り遅延タイマーが再開する。
【０００８】
本開示の１つの観点によれば、シグナリングの混雑を管理するための方法とＭＭＥノードが示される。方法は、ＭＭＥノードがＷＣＤにより送信された第１の制御プレーンメッセージ（例えば非アクセス層（ＮＡＳ）アタッチ要求メッセージ等のＮＡＳメッセージ）を受信すること（例えば受け入れること）を含み、当該第１の制御プレーンメッセージは、ＭＭＥノードにより別のデバイスへ中継される対象のアップリンク（ＵＬ）データ（例えばユーザプレーンデータ）を含む。第１の制御メッセージを受信した後に、ＭＭＥノードは、第２の制御メッセージ（例えばＮＡＳアタッチ受け入れメッセージ）を作成し、当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、ｉｉ）ＷＣＤがＭＭＥへのあらゆる将来の制御プレーンメッセージにおけるあらゆるＵＬデータを含む前にどれくらいの時間待機すべきかを示す絞り遅延、のうちの少なくともいずれかを識別する。ＭＭＥノードは、そして、絞りファクタと絞り遅延の少なくともいずれかを含む第２の制御プレーンメッセージを送信する。ここで、当該第２の制御プレーンメッセージは、ＷＣＤを対象とする。
【０００９】
本開示の１つの観点によれば、シグナリングの混雑を管理するための方法とＭＭＥノードが示される。方法では、ＷＣＤは、モビリティ管理エンティティ（ＭＭＥ）ノードにより別のデバイスへ中継する対象のアップリンク（ＵＬ）データを含む第１の制御プレーンメッセージを送信する。当該第１の制御プレーンメッセージは、ＭＭＥノードを対象とする。ＷＣＤは、モビリティ管理エンティティ（ＭＭＥ）ノードから送信された第２の制御プレーンメッセージを受信する。当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、ｉｉ）ＵＬデータを基地局またはＭＭＥへのあらゆる将来の制御プレーンメッセージに含める前にＷＣＤはどれくらいの時間待機すべきかを示す絞り遅延、のうちの少なくともいずれかを識別する。第２の制御プレーンメッセージを受信した後に、ＷＣＤは、絞りファクタに基づくＵＬデータの量（例えば、ゼロの量のＵＬデータ）、または、絞り遅延に基づいてセットされたタイマーがまだ満了しない場合にゼロの量のＵＬデータを伴う第３の制御プレーンメッセージを送信する。当該第３の制御プレーンメッセージは、ＭＭＥノードを対象とする。
【００１０】
ＤＬデータレート制御に対しては、ＭＭＥノードは、それに向けられたデータ配信要求の数または頻度を制限することができる。ＭＭＥノードは、ＮＩＤＤ提示（submit）要求メッセージを拒否することができる。または、ＭＭＥの負荷を更に減らすために、ＭＭＥは、絞りファクタに従い、また、ＮＩＤＤ提示ダウンリンクＡｃｋメッセージ（または、ＮＩＤＤ提示Ａｃｋメッセージ）に規定される絞り遅延に対するダウンリンクトラフィックに対して送信するＮＩＤＤ提示要求の数を選択的に削減するようにＳＣＥＦに要求することができる。対応するＳＣＥＦロジックに対するTS 23.682を参照されたい。ＳＣＥＦは、絞り遅延タイマーが満了するまで、ユーザデータを伴う後続のＮＩＤＤ提示要求メッセージを送信しない。ＳＣＥＦは、絞り遅延の満了時に、一般的な動作を再開する。最後に受信した絞りファクタと絞り遅延の値は、ＭＭＥから受信したあらゆる前の値に取って代わる。絞り遅延の受信は、ＳＣＥＦ絞り遅延タイマーを再開する。代替の実施形態では、ＳＣＥＦは、ネットワークから後続のＮＩＤＤ提示ダウンリンクＡｃｋメッセージ（または、ＮＩＤＤ提示ＡＣＫメッセージ）を受信したときに、一般的な動作を再開し、絞りファクタと絞り遅延は省略される。
【００１１】
本開示のある観点によれば、サービス能力公開機能（ＳＣＥＦ）ノードと１つ以上の無線通信デバイス（ＷＣＤ）と相互に作用するための方法およびＭＭＥノードが示される。方法は、ＭＭＥノードが、１つ以上の絞り基準が満たされるか（例えば、ＭＭＥノードと１つ以上のＷＣＤの間の制御シグナリングの混雑が所定の閾値より悪化するか）を判定することを含む。１つ以上の絞り基準が満たされたと判定したことに応答して（例えば、制御シグナリングの混雑が予め決定された閾値より悪化した場合）、ＭＭＥノードは、ｉ）ＳＣＥＦノードがＭＭＥノードへのダウンリンク（ＤＬ）データ配信要求の数を減らすべきレベルを示す絞りファクタ、および、ｉｉ）ＳＣＥＦノードがあらゆる将来のデータ配信要求をＭＭＥノードへ送信する前にどれくらいの時間待機すべきかを示す絞り遅延、の少なくともいずれかを含む、第１のデータ配信メッセージ（例えば、ＭＴ  ＮＩＤＤ応答またはＮＩＤＤ提示ダウンリンクＡＣＫメッセージ）を作成する。ＭＭＥノードは、絞りファクタと絞り遅延の少なくともいずれかを含む、第１のデータ配信メッセージを送信する。当該第１のデータ配信メッセージは、ＳＣＥＦノードを対象とする。
【００１２】
本開示の１つの観点によれば、シグナリングを管理するためのＳＣＥＦが示される。方法では、ＳＣＥＦは、モビリティ管理エンティティ（ＭＭＥ）ノードにより送信された第１のデータ配信メッセージ（例えばＮＩＤＤ提示（submission）ＡＣＫメッセージまたはＭＴ  ＮＩＤＤ応答メッセージ）を受信する。当該第１のデータ配信メッセージは、ｉ）ＳＣＥＦノードがＭＭＥノードへのダウンリンク（ＤＬ）データ配信要求の数を減らすべきレベルを示す絞りファクタ、およびｉｉ）ＳＣＥＦノードがあらゆる将来のデータ配信要求をＭＭＥノードへ送信する前にどれくらいの時間待つべきかを示す絞り遅延、の少なくともいずれかを含む。第２の制御プレーンメッセージを受信した後、ＳＣＥＦは絞りファクタに基づいてＭＭＥノードへ送信されるデータデリバリ要求の数を削減するか、絞り遅延に基づくタイマーが満了していない場合はＭＭＥへあらゆるデータ配信要求を送信することを止める。
【００１３】
更に、ＭＭＥは、通常優先順位および／または例外報告に対して、制御プレーンを介してユーザデータを送信するためにネットワークにアクセスするＵＥからの新しいＲＲＣ接続要求を拒否するように、基地局（例えば、ｅＮＢ）に要求することができる。
【００１４】
別の観点では、ＭＭＥにより実行されるレート制御方法が提供される。１つの実施形態では、方法は、ＭＭＥがＷＣＤにより送信されたＵＬ  ＮＡＳメッセージ（例えばアタッチ要求）を受信することを含む。方法は更に、ＭＭＥが、ＵＬ  ＮＡＳメッセージを受信した後に、ＤＬ  ＮＡＳメッセージを生成し、ＤＬ  ＮＡＳメッセージをＷＣＤに向かって送信することを含む。ＭＭＥにより送信されたＤＬ  ＮＡＳメッセージは、ある時間期間内で、ＷＣＤがＭＭＥに送信することが許容されているユーザデータを含むＵＬ  ＮＡＳメッセージの数を含む情報を含む。いくつかの実施形態では、ＤＬ  ＮＡＳメッセージに含まれる情報により示されるＵＬ  ＮＡＳメッセージの数はゼロである。いくつかの実施形態では、ＭＭＥにより送信されたＤＬ  ＮＡＳメッセージは、ある時間期間を示す情報を含む。いくつかの実施形態では、ＷＣＤにより送信されたＵＬ  ＮＡＳメッセージは、ユーザデータを含み、方法は更に、ＭＭＥがユーザデータを別のデバイスに転送することを含む。いくつかの実施形態では、方法は更に、ＭＭＥが、ＷＣＤにより送信された第２のＵＬ  ＮＡＳメッセージであって、別のデバイスを対象としたユーザデータを含む第２のＵＬ  ＮＡＳメッセージを受信することと、ＭＭＥが、ＭＭＥがユーザデータを別のデバイスに転送しないようにユーザデータを破棄することを含む。
【００１５】
別の観点では、ＣＮ過負荷制御に対する方法が提供される。１つの実施形態では、方法は、ネットワークノード（例えばＭＭＥ）が、負荷が閾値に達したかを判定することを含む。方法は更に、負荷が閾値に達したと判断した後に、基地局が制御プレーンＣＩｏＴ  ＥＰＳ最適化を介したデータ転送のためにＷＣＤにより送信された要求を拒否するように、基地局を構成するための情報を含む過負荷開始メッセージを、ネットワークノードが基地局に送信することを含む。
【００１６】
別の観点では、ＣＮ過負荷制御に対する方法が提供される。１つの実施形態では、方法は、基地局が、制御プレーンＣＩｏＴ  ＥＰＳ最適化を介したデータ転送に対する要求を拒否し得ることを示す情報を含む過負荷開始メッセージを、ネットワークノード（例えばＭＭＥ）から受信することを含む。方法は更に、過負荷開始メッセージを受信した後に、基地局が、制御プレーンＣＩｏＴ  ＥＰＳ最適化を介したデータ転送に対する要求をＷＣＤから受信することを含む。方法は更に、ＷＣＤにより送信された要求を受信することに応答して、基地局が要求を拒否することを含む。
【００１７】
これらおよび他の観点および実施形態は、更に説明される。
【図面の簡単な説明】
【００１８】
【図１】図１は、本開示の観点に従う例示的なシステムを示す。
【図２】図２は、本開示の観点に従う例示的なシステムを示す。
【図３】図３は、本開示の観点を示すフロー図およびシグナリング図を提供する。
【図４】図４は、本開示の観点を示すフロー図およびシグナリング図を提供する。
【図５】図５は、本開示の観点を示すフロー図およびシグナリング図を提供する。
【図６】図６は、本開示の観点を示すフロー図およびシグナリング図を提供する。
【図７】図７は、本開示の観点を示すフロー図およびシグナリング図を提供する。
【図８】図８は、本開示の観点を示すフロー図およびシグナリング図を提供する。
【図９】図９は、本開示の観点を示すフロー図およびシグナリング図を提供する。
【図１０】図１０は、本開示の観点を示すフロー図およびシグナリング図を提供する。
【図１１】図１１は、本開示の観点を示すフロー図およびシグナリング図を提供する。
【図１２】図１２は、本開示の観点に従う、混雑を管理するように構成された例示的なＭＭＥノードを示す。
【図１３】図１３は、本開示の観点に従う、混雑を管理するように構成された例示的なＵＥを示す。
【図１４】図１４は、本開示の観点に従う、混雑を管理するように構成された例示的なＳＣＥＦノードを示す。
【図１５】図１５は、本開示の観点に従う、混雑を管理するように構成された例示的な基地局を示す。
【発明を実施するための形態】
【００１９】
図１に、混雑を管理し、制御プレーンにおいて送信され得るＵＬおよびＤＬデータを管理するための例示的なシステム１００を示す。システム１００は、ユーザ装置（ＵＥ）１０１等の１つ以上の無線通信デバイス（ＷＣＤ）を含む。それは更に、ＮＢ／ｅＮＢ１０３等の基地局、モビリティ管理エンティティ（ＭＭＥ）ノード１０５、サービス能力公開機能（ＳＣＥＦ）ノード１０７、サービングゲートウェイ（ＳＧＷ）１１１、ＰＤＮゲートウェイ（ＰＧＷ）１１３、ＰＣＲＦ１１５、ＨＳＳ１１７、およびアプリケーションサーバ１０９を含む。
【００２０】
いくつかのケースでは、ＵＥは、センサまたは機器（appliance）等のセルラインターネットオブシングス（ＣＩｏＴ）デバイスであり得る。スマートフォン等のＵＥと比較して、センサまたは機器は、かなり少ないＵＬデータを送信し（例えば、ブロードキャストし）、かなり少ない頻度でそれを行い得る。いくつかの環境下では、ユーザプレーンよりもむしろ制御プレーンで、ＵＬデータ等を送信することがより効率的である。制御プレーンは、例えば、ＵＥ１０１とＭＭＥ１０５により互いに通信するために使用される非アクセス層（ＮＡＳ）層を含み得る。データは、ＵＥ１０１により別のデバイス（例えば、アプリケーションサーバ１０９）に対して送信されるＵＬデータ、または、別のデバイス（例えば、ＡＳ１０９）によりＵＥ１０１に対して送信されるＤＬデータを含み得る。データは、いくつかの状況では、TS 23.682（チェンジリクエスト0154またはS2-160423を参照されたい）で規定されるように、非ＩＰデータ配信（ＮＩＤＤ）を用いて伝送される。TS 23.682においても記載されているＳＣＥＦノード１０７は、非ＩＰデータの配信を容易にし得る。
【００２１】
図２は、システム１００のより特定的な例を示す。この例では、ＳＣＥＦノード１０７は、サービス能力サーバ（ＳＣＳ）および／またはマシーンタイプ通信（ＭＴＣ）インターワーキング機能（ＭＴＣ−ＩＷＦ）ノードの一部であり得る。他の例では、ＳＣＥＦノード１０７は、スタンドアローンの構成要素であり得る。ＳＣＥＦノード１０７は、コアネットワークの端に位置し、コアネットワークの外のデバイスに対するゲートウェイとしての機能を果たす。追加的に、図１および図２はＭＭＥノード１０５を示すものの、ＭＭＥノード１０５において実行される機能性および工程は、いくつかの実施形態では、ＭＭＥノード１０５に追加して、または、ＭＭＥノード１０５の代わりとして、ＣＩｏＴサービスゲートウェイノード（Ｃ−ＳＧＮ）において実行され得る。
【００２２】
上述したように、ＣＩｏＴデバイスであるＵＥに対するＵＬおよびＤＬデータは、ＵＥ１０１とＭＭＥ１０５との間の制御プレーンにおいて、ＭＭＥ１０５とアプリケーションサーバ１０９または他のデータ送信元と宛先との間のＮＩＤＤを介して、効率的に送信され得る。制御プレーンは、ＵＥ１０１とｅＮＢ／ＮＢ１０３により無線で情報を交換するために使用される無線送信リソース（例えば周波数および時間リソース）といった、制限された量の送信リソースを有し得る。制御プレーンにおけるＵＬとＤＬデータの伝送は、そのような送信リソースに対する制御シグナリングで完了し得る。結果として、ＭＭＥ１０５とＵＥ１０１との間、および／またはｅＮＢ／ＮＢ１０３とＵＥ１０１との間の制御シグナリングとかなり干渉し得る。
【００２３】
したがって、制御プレーンにおいてＵＥが送信しようとするＵＬデータ、および、制御プレーンにおいてＵＥに送信される対象のＤＬデータに対するレート制御を実行するための方法が必要となる。
【００２４】
ＵＬデータレート制御
【００２５】
ＵＬデータに対するレート制御を実行するために、例えば、ＮＡＳメッセージを受け入れ、ＵＥに送信されるＮＡＳメッセージにおける絞りファクタおよび／または絞り遅延を追加することにより、ＭＭＥは制御プレーンＣＩｏＴ  ＥＰＳ最適化を用いて送信されるユーザデータを伴うＮＡＳメッセージ（すなわちＮＡＳデータＰＤＵ）を絞り得る（例えば、ＭＭＥは時間期間（すなわち“絞り遅延”）を示し、（明示的または暗示的に）示された時間期間の間にＵＥが送信することが許されるＮＡＳデータＰＤＵの数を示すメッセージをＵＥに送信する）。ＵＥは、ネットワークからの次のＮＡＳメッセージにおいて絞りが省略されるまで、または、絞り遅延時間が満了するまで、ＭＭＥにより送信された絞りファクタおよび絞り遅延に従うこととなる。（すなわち、例えば、ＵＥは、その基準が満たされるまで、制御プレーンＣＩｏＴ  ＥＰＳ最適化を用いて、ユーザデータを伴うあらゆる後続のＮＡＳメッセージを送信しない。） 
【００２６】
ＵＥは、絞り遅延の満了時に、一般的な動作を再開する。最後に受信した絞りファクタと絞り遅延の値は、ＭＭＥから受信したあらゆる前の値に取って代わる。絞り遅延の受信により、ＵＥは絞り遅延タイマーを再開する。代替の実施形態では、ＵＥは、ＵＥがネットワークから後続のＮＡＳメッセージを受信したときに、一般的な動作を再開し、絞りファクタと絞り遅延は省略される。ＮＡＳレベル混雑の検出は、TS 23.401のセクション4.3.7.4.2.1で詳細に議論されており、本開示では後に複製される。
【００２７】
図３と図４は、ＵＬデータレートを制限し、ＭＭＥノードとＵＥとの間のシグナリングの混雑を管理するための、ＭＭＥノード（例えばＭＭＥノード１０５）と無線通信デバイス（例えばＵＥ１０１）との間の協調も示すフロー図を示す。
【００２８】
実施形態では、図３におけるプロセス３００は、ステップ３０２で始まり、ＭＭＥノードがＷＣＤにより送信された第１の制御プレーンメッセージ（非アクセス層（ＮＡＳ）アタッチ要求メッセージ等のＮＡＳメッセージ）を受信する（例えば、受け入れる）。当該第１の制御プレーンメッセージは、ＭＭＥノードにより別のデバイスへ中継される対象のアップリンク（ＵＬ）データ（例えばユーザプレーンデータ）を含む。制御プレーンメッセージの例は、制御プレーンＣＩｏＴ最適化データ（または“スモールデータ”）（例えば、“ＮＩＤＤ配信”メッセージ）含むＮＡＳメッセージを含む。他の例は、プロトコルレイヤに依存して、“Ｓ１−ＡＰ初期ＵＥメッセージ（ＥＢＩを伴うＮＡＳデータＰＤＵ）”または“アップリンクＳ１−ＡＰメッセージ（ＥＢＩを伴うＮＡＳデータＰＤＵ）”である。
【００２９】
ステップ３０６では、第１の制御メッセージを受信した後に、ＭＭＥノードは、第２の制御メッセージ（例えばＮＡＳアタッチ受け入れメッセージ）を作成し、当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、および、ｉｉ）ＷＣＤがＭＭＥへのあらゆる将来の制御プレーンメッセージにおいてＵＬデータを含む前にどれくらいの時間待機すべきかを示す絞り遅延、のうちの少なくともいずれかを識別する（すなわち、第２の制御プレーンメッセージは、時間期間（すなわち“絞り遅延”）（例えば０．５デシ時間）および、示された時間期間の間にＵＥが送信を許容されるＮＡＳデータＰＤＵの数（例えばこの例では当該数はゼロ）を示す）。
【００３０】
ステップ３０８では、ＭＭＥノードは、絞りファクタと絞り遅延の少なくともいずれかを含む第２の制御プレーンメッセージを送信する。当該第２の制御プレーンメッセージは、ＷＣＤを対象とする。例えば、ＭＭＥノードは、２つのノード間の基地局を介して、ＷＣＤへ第２の制御プレーンメッセージを送信する。このメッセージの例は、絞りファクタと絞り遅延を含むＤＬ  ＮＡＳメッセージを伴うダウンリンクＳ１−ＡＰメッセージを含む。
【００３１】
図３は更に、プロセス３００に対するオプションのステップ３０４を示す。ステップ３０４では、ＭＭＥノードは、ＭＭＥノードとＷＣＤとの間の制御シグナリングの混雑が、所定の閾値より悪化したかをステップ３０４において判定する。この例では、ステップ３０６は、ＷＣＤから第１の制御プレーンメッセージを受信し、混雑が所定の閾値より悪化したと判定したことに応じて、実行され得る。
【００３２】
いくつかのケースでは、受信した制御プレーンメッセージ（例えばＮＡＳメッセージ）は、処理され得る（すなわち、ＵＬデータが転送される、または、破棄される）。混雑／過負荷が検出された場合（しかしＵＥとのシグナリング接続が解放される前）、後の段階で絞りをまた開始することができる。ＵＬ  ＮＡＳメッセージが受信された場合に、混雑／過負荷が既に検出されていれば、直ちに絞りが開始され得る。
【００３３】
いくつかの例では、ＭＭＥノードは、ＷＣＤにより送信された制御プレーンメッセージを受信した直後に（例えばステップ３０２において）、絞りプロセスを開始し得る。いくつかの例では、それは、ＷＣＤから制御プレーンメッセージを最初に受信せずにそのように行い、代わりに、いくつかの他の絞り基準または、過負荷／混雑の結果として、および／またはＵＥがそのスモールデータの割り当て、所定の最大ビットレート、制御プレーンに対する所定の最大ビットレートを超え、サービスレベル等を超えた結果として、といった基準に基づいて、絞り基準を初期化し得る。いくつかの例では、ＭＭＥノードが絞りプロセスを開始する前に、これらの基準の組み合わせを満たすことが必要となる（例えば、ＭＭＥノードは、制御プレーンメッセージを受信して、制御シグナリングの混雑を検出および／またはＷＣＤが最大のＵＬビットレートまたは割り当てを超えていることを検出しなければならない）。
【００３４】
いくつかの例では、ＭＭＥノードは、ＷＣＤが所定の最大データ割り当てまたは最大データレートを超えたかを判定し得る（例えば、所定の最大ビットレート、ＣＰまたはＵＥの全体に対する所定のＵＥアグリゲート最大ビットレート）、ここで、絞りファクタまたは絞り遅延を含む第２の制御プレーンメッセージを送信する工程は、ＷＣＤから第１の制御プレーンメッセージを受信し、所定の最大データ割り当てまたは最大データレートを超えたと判定したことに応答して行われる。
【００３５】
より一般的には、ステップ３０２でアップリンクデータを伴う第１の制御プレーンメッセージを受信すること、混雑が閾値より悪化すること、および／または、最大ビットレート（例えばＵＬビットレート）を超えることが、絞り基準の例となり得る。よって、ＭＭＥノードは、絞り基準の１つ以上が満たされた場合に、絞りをトリガし得る。これは、図４におけるプロセスに示される。ここで、ステップ４０２では、ＭＭＥノードは、１つ以上の絞り基準が満たされているかを判定する。本実施形態におけるＭＭＥノードは、ステップ３０８において、ＷＣＤからのＵＬデータを伴う制御プレーンメッセージの受信を最初に待機することなく、絞りファクタまたは絞り遅延を含む第２の制御プレーンメッセージを送信し得る。その例では、ＭＭＥノードにおけるシグナリングの混雑の悪化および／またはＷＣＤが最大のビットレートまたはＵＬデータ割り当て（quota）を超えることによりトリガされ得る。
【００３６】
ステップ３０８で送信された絞りファクタまたは絞り遅延は、上書き（無効に）され得る。図３は、ステップ３１２に伴う上書きの特徴を示す。ここで、第２の制御プレーンメッセージを送信した後に、ＭＭＥノードは、別の絞りファクタまたは別の絞り遅延を含む第３の制御プレーンメッセージを送信する。ここで、別の絞り遅延は、第２の制御プレーンメッセージにおける絞り遅延を上書きし、別の絞りファクタは、第２の制御プレーンメッセージにおける絞りファクタを上書きする。
【００３７】
上述したように、ＵＥは、絞り遅延（送信された場合）により設定されたタイマーが満了した場合、または、ＵＥが絞りを止めることができる後続の制御プレーンメッセージを受信した場合に、絞りを停止し得る。ステップ３１２では、例えば、第２の制御プレーンメッセージを送信した後に、例えば、ＭＭＥノードは、絞りファクタも絞り遅延も含まない第３の制御プレーンメッセージを送信し得る。ここで、絞りファクタと絞り遅延を省略することは、１つ以上のＷＣＤが制御プレーンメッセージにおいてＵＬデータの絞りを停止することができることを示す。
【００３８】
いくつかのケースでは、絞りファクタは、ＭＭＥノードが絞りの停止を示すまで、ＷＣＤがＭＭＥノードへのあらゆる将来の制御プレーンメッセージにおいてＵＬデータを含めるべきではないことを示し得る。いくつかのケースでは、絞りファクタは、ＷＣＤが制御プレーンにおいてＵＬデータ送信を削減すべきパーセンテージ（例えば２５％、５０％、１００％）を示し得る。
【００３９】
いくつかの例では、ＭＭＥノードは、ＭＭＥノードと、ＭＭＥノードにアタッチされた１つ以上のＷＣＤとの間の制御プレーンにおけるＵＬデータを制限する最大ビットレート（ＭＢＲ）を決定する。ＭＭＥは、決定されたＭＢＲに基づいて絞りファクタまたは絞り遅延を決定し得る。
【００４０】
図５は、ＷＣＤの観点からのデータレート制御を示す。図５に示されるプロセス５００は、１つの実施形態では、ステップ５０２から開始し、ＷＣＤは、モビリティ管理エンティティ（ＭＭＥ）ノードにより別のデバイスへ中継する対象のアップリンク（ＵＬ）データを含む第１の制御プレーンメッセージを送信する。当該第１の制御プレーンメッセージは、ＭＭＥノードを対象とする。例えば、ＷＣＤは、２つのノード間の基地局を介して、ＭＭＥへ制御プレーンメッセージを送信する。
【００４１】
ステップ５０４では、ＷＣＤは、モビリティ管理エンティティ（ＭＭＥ）ノードから送信された第２の制御プレーンメッセージを受信する。当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、ｉｉ）ＵＬデータを基地局またはＭＭＥへのあらゆる将来の制御プレーンメッセージに含める前にＷＣＤはどれくらいの時間待機すべきかを示す絞り遅延、のうちの少なくともいずれかを含む。
【００４２】
ステップ５０６では、第２の制御プレーンメッセージを受信した後に、ＷＣＤは、絞りファクタに基づくＵＬデータの量（例えば、ゼロの量のＵＬデータ）、または、絞り遅延に基づいてセットされたタイマーがまだ満了しない場合にゼロの量のＵＬデータで第３の制御プレーンメッセージを送信する。当該第３の制御プレーンメッセージは、ＭＭＥノードを対象とする。このステップは、制御プレーンにおけるＵＬデータのその送信を絞るための、ＷＣＤの試みの一部であり得る。
【００４３】
実施形態では、ステップ５０８において、ＷＣＤは、ＭＭＥノードにより送信された第３の制御プレーンメッセージを受信する。当該メッセージは、より早い制御プレーンメッセージにおけるそれらを上書きした別の絞りファクタまたは別の絞り遅延を含む。
【００４４】
実施形態では、ステップ５１０において、ＷＣＤは、絞りファクタも絞り遅延も含まない第３の制御プレーンメッセージを受信し得る。ＷＣＤは、これを、制御プレーンにおけるＵＬデータの絞りを停止することができる指標とみなす。
【００４５】
図６は、ＵＬデータレート制御のシグナリング図を示す。メッセージ６０１と６０２は、制御プレーンメッセージが、ＵＥと基地局との間のＲＲＣメッセージにおけるペイロードとして、および、基地局とＭＭＥノードとの間のＳ１−ＡＰメッセージにおけるペイロードとして、含まれる、ＮＡＳメッセージ（例えば、TS 24.301のセクション9.8において議論されるような、ＮＡＳアタッチ要求メッセージ）であることを示す。説明する実施形態では、ＭＭＥノードは、制御シグナリングの混雑があることをステップ６０４で判定した後に、絞りを開始し得る。それは、絞りファクタまたは絞り遅延をＵＥに伝達するためにメッセージ６０５および６０６を使用してＮＡＳメッセージを送信し、ステップ６０７においてＵＬデータを絞る。ＭＭＥノードは更に、絞りを修正するためのメッセージ６０８と６０９を送信するか、絞りを停止するためにメッセージ６１０と６１１を送信する。絞りが停止された後、ＵＥは、制御プレーンメッセージにおいて（例えばＮＡＳレイヤにおいて）、ＵＬデータのＭＭＥノードへの一般的な送信を再開する。
【００４６】
ＤＬデータレート制御
【００４７】
ＤＬデータレート制御は、ＭＭＥがデータ配信要求（例えば、ＭＴ  ＮＩＤＤ配信要求またはＮＩＤＤ提示要求）を拒否することを含む。そのような要求は、制御プレーンにおいてＷＣＤに中継される必要があるＤＬデータを含み得る。このＤＬデータは、無線送信リソースに対する制御シグナリングと競合するため、ＤＬデータは絞られ得る。ＭＭＥノードは、個別のデータ配信要求を受信し拒否し得る。または、そのゲートウェイ機能性のいくつかを、ＳＣＥＦノードにオフロードし得る。例えば、ＭＭＥはＮＩＤＤ提出要求メッセージを拒否すること、または、更にＭＭＥをオフロードするために、ＭＭＥは、ＳＣＥＦに対して、ＮＩＤＤ提出ダウンリンクＡＣＫメッセージ（またはＮＩＤＤ提示ＡＣＫメッセージ）において規定される絞りファクタに従って、または絞り遅延に対して、ダウンリンクトラフィックに対して送信するＮＩＤＤ提示応答の数を選択的に削減することを要求することができる。対応するＳＣＥＦロジックに対するTS 23.682を参照されたい。
【００４８】
ＳＣＥＦは、絞り遅延タイマーが満了するまで、ユーザデータを伴う後続のＮＩＤＤ提示要求メッセージを送信しない。ＳＣＥＦは、絞り遅延の満了時に、一般的な動作を再開する。最後に受信した絞りファクタと絞り遅延の値は、ＭＭＥから受信したあらゆる前の値に取って代わる。絞り遅延の受信により、ＳＣＥＦ絞り遅延タイマーが再開する。代替の実施形態では、ＳＣＥＦは、ネットワークから後続のＮＩＤＤ提示ダウンリンクＡＣＫメッセージ（または、ＮＩＤＤ提示ＡＣＫメッセージ）を受信したときに、一般的な動作を再開し、絞りファクタと絞り遅延は省略される。いくつかの例では、ＭＭＥノードはまた、ＳＧＷからのダウンリンクデータ通知要求を絞ることにより、そのＳＧＷが生成し得るシグナリングノードを制限し得る。ＳＧＷからのダウンリンクデータ通知要求を絞ることは、TS 23.401のセクション4.3.7.4.1aにおいて議論されており、以下においても複製される。
【００４９】
図７は、ＤＬデータレート制御の別の例を示す。図７に示されるプロセス７００では、ＭＭＥノードは、ステップ７０２において１つ以上の絞り基準が満たされているかを判定する。１つ以上の基準は、例えば、ＳＣＥＦノードにより送信されたデータ配信要求メッセージ（例えば、ＭＴ  ＮＩＤＤ配信要求またはＮＩＤＤ提示要求）の受信、ＭＭＥノードと１つ以上のＷＣＤとの間の制御シグナリングの混雑が所定の閾値より悪化したこと、および／または、１つ以上のＷＣＤが最大のビットレート（例えば最大のＤＬビットレート）またはＤＬデータの割り当て（これはネットワークオペレータにより設定される所定の値または、動的に決定される値であり得る）を超えること、を含み得る。
【００５０】
ステップ７０４では、１つ以上の絞り基準が満たされたと判定したことに応答して、ＭＭＥノードは、ｉ）ＳＣＥＦノードがＭＭＥノードへのダウンリンク（ＤＬ）データ配信要求の数を減らすべきレベルを示す絞りファクタ、および、ｉｉ）ＳＣＥＦノードがあらゆる将来のデータ配信要求をＭＭＥノードへ送信する前にどれくらいの時間待機すべきかを示す絞り遅延、の少なくともいずれかを含む、第１のデータ配信メッセージ（例えば、ＭＴ  ＮＩＤＤ応答またはＮＩＤＤ提示ダウンリンクＡＣＫメッセージ）を作成する。いくつかのケースでは、絞りファクタまたは絞り遅延は、ＭＭＥノードが１つ以上のＷＣＤに対して制限しようとする、決定した最大のビットレートに基づき得る。
【００５１】
ステップ７０６では、ＭＭＥノードは、絞りファクタと絞り遅延の少なくともいずれかを含む第１のデータ配信メッセージを送信する。当該第１のデータ配信メッセージは、ＳＣＥＦノードを対象とする。図７は更に、絞りを修正するためのステップ７０８と、絞りを停止するためのステップ７１０をそれぞれ示す。
【００５２】
いくつかのケースでは、ＭＭＥノードは、空のＮＩＤＤ応答メッセージにおいて、または、ＭＭＥノードとＳＣＥＦノードとの間のＤＬデータ制御の目的に対して作成される新しいメッセージとして、絞りファクタまたは絞り遅延を送信し得る。なお、絞り基準は、ＭＭＥノードが最初にＮＩＤＤ要求メッセージ（例えば、ＭＴ  ＮＩＤＤ要求メッセージまたはＮＩＤＤ提示要求メッセージ）をＳＣＥＦノードから受信することは含まない。よって、ＭＭＥノードからの絞りの指標は、未承諾な手法で、ＭＭＥノードからＳＣＥＦノードへ送信され得る。
【００５３】
図８は、ＳＣＥＦノードの観点からのＤＬデータレート制御を示す。ステップ８０２では、ＳＣＥＦノードは、モビリティ管理エンティティ（ＭＭＥ）ノードから送信された第１のデータ配信メッセージ（例えばＮＩＤＤ提示ＡＣＫメッセージまたはＭＴ  ＮＩＤＤ応答メッセージ）を受信する。当該第１のデータ配信メッセージは、少なくともｉ）ＳＣＥＦノードがＭＭＥノードへのダウンリンク（ＤＬ）データ配信要求の数を減らすべきレベルを示す絞りファクタ、およびｉｉ）ＳＣＥＦノードがあらゆる将来のデータ配信要求をＭＭＥノードへ送信する前にどれくらいの時間待機すべきかを示す絞り遅延、の少なくともいずれかを含む。
【００５４】
ステップ８０４では、第２の制御プレーンメッセージを受信した後、ＳＣＥＦは絞りファクタに基づいてＭＭＥノードへ送信されるデータ配信要求の数を削減するか、絞り遅延に基づいてタイマーが満了していない場合はＭＭＥへあらゆるデータ配信要求を送信することを止める。
【００５５】
実施形態では、ＳＣＥＦノードは、絞りを修正するか、絞りを停止することができることを示す、ＭＭＥノードから後続のデータ配信メッセージを受信する。
【００５６】
ＤＬレート制御を、図９におけるシグナリング図にも示す。この特定の例では、絞りは、ＭＭＥノードがＤＬ非ＩＰデータを含むＮＩＤＤ提示要求メッセージ９０３を受信した後に開始する。非ＩＰデータは、例えば、サービス能力サーバ（ＳＣＳ）および／またはアプリケーションサーバ（ＡＰ）から生じ、ステップ９０１において、非ＩＰデータが存在することを判定し、ＮＩＤＤ提示要求メッセージ９０２をＳＣＥＦノードに送信する。
【００５７】
絞りを開始するために、ＭＭＥノードは、ＳＣＥＦノードへ、絞りファクタまたは絞り遅延を伴う、ＮＩＤＤ提示ダウンリンクＡＣＫメッセージ９０４を送信し得る。これは、たとえステップ９０５で非ＩＰデータを受信した後であっても、ＳＣＥＦノードに、ステップ９０６においてＮＩＤＤ提示要求メッセージを絞らせることとなる。絞りは、メッセージ９０７において修正され得る。また、ＭＭＥノードによりステップ９０８において停止され得る。絞りが停止したあと、ＳＣＥＦノードは、ＮＩＤＤ提示要求をＭＭＥノードへ転送し続け得る。それは、ユーザプレーンまたはデータプレーンにおいてＵＥに向けてＤＬデータを中継し得る。
【００５８】
ＭＭＥノードと基地局との間の協調
【００５９】
レート制御（例えばＵＬデータレート制御）は、そのアクセスが制御プレーンにおいて過度のＵＬの送信を含み得る場合、ＭＭＥノードが基地局との間でネットワークアクセス（例えばＲＡＮアクセス）を制限することを含む。この協調により、ＭＭＥノードは、データを伝送するために制御プレーンを用いて、基地局にとどまる全てのＵＥに対して、基地局への要求を行うことが可能となる。１つの例では、ＭＭＥノードは、TS 23.401のセクション4.3.7.4.1で議論され、以下において複製される、過負荷開始メッセージ（Overload Start message）を用い得る。本例では、ＭＭＥノードは、通常優先順位および／または例外報告に対して、制御プレーンを介してユーザデータを送信するためにネットワークにアクセスするＵＥからの新しいＲＲＣ接続要求を拒否するようにｅＮＢに要求するために、過負荷開始メッセージを使用し得る。
【００６０】
図１０は、ＭＭＥノードと基地局との間の協調を含む過負荷処理メカニズムの別の例を示す。本例は、実施形態において開始するプロセス１０００を含み、ステップ１００２において、ＭＭＥノードは、ＭＭＥノードと１つ以上のＷＣＤとの間の制御シグナリングの混雑が所定の閾値より悪化したかを判定する。ステップ１００６では、混雑が所定の閾値より悪化したと判定したことに応答して、ＭＭＥノードは、過負荷開始メッセージを生成し、基地局が、制御プレーンメッセージ（すなわち、制御プレーンＣＩｏＴ  ＥＰＳ最適化を介したデータ伝送に対するＷＣＤからの要求）においてアップリンク（ＵＬ）データを送信するためにＭＭＥノードにアクセスするためにＷＣＤにより使用されるあらゆる無線リソース制御（ＲＲＣ）接続要求を拒否すべきであることを示す。
【００６１】
ステップ１００８では、ＭＭＥノードは、過負荷開始メッセージを基地局へ送信する。
【００６２】
図１１は、基地局の観点からのプロセス１１００を示す。ステップ１１０２において、基地局はＭＭＥノードにより送信された過負荷開始メッセージを受信する。当該メッセージは、基地局が、制御プレーンメッセージ（すなわち、制御プレーンＣＩｏＴ  ＥＰＳ最適化を介したデータ伝送に対するＷＣＤからの要求）においてアップリンク（ＵＬ）データを送信するためにＭＭＥノードへのアクセスするためにＷＣＤにより使用されるあらゆる無線リソース制御（ＲＲＣ）接続要求を拒否すべきであることを示す。
【００６３】
ステップ１１０４では、過負荷開始メッセージを受信した後に、基地局はＷＣＤの１つからＲＲＣ接続要求を受信する。当該ＲＲＣ接続要求は、制御プレーンメッセージ（すなわち、制御プレーンＣＩｏＴ  ＥＰＳ最適化を介したデータ伝送に対する要求である要求）を含む。ステップ１１０６では、基地局は、制御プレーンメッセージがＵＬデータを含むかを判定する。ステップ１１０８では、制御プレーンメッセージがＵＬデータを含むと判定したことに応答して、基地局は、ＲＲＣ接続要求を拒否する。いくつかの例では、制御プレーンメッセージがＵＬデータを含むかについての情報は、ＲＲＣ接続要求のヘッダにおけるものであり得る。
【００６４】
例示的なＭＭＥノード
【００６５】
図１２は、例示的なＭＭＥノード１０５のブロック図である。図１２に示すように、干渉軽減コントローラは、１つ以上のプロセッサ１２５５（例えば、マイクロプロセッサ、および／または、特定用途向け集積回路（ＡＳＩＣ）、フィールドプログラマブルゲートアレイ（ＦＰＧＡ）等といった１つ以上の回路）を含み得るデータ処理システム１２０２、ＲＡＮとの通信のための通信インタフェース１２０５、ＳＣＥＦノードとの通信のためのインタフェース１２０５、非一時的データ格納装置（例えば、ハードディスク、フラッシュメモリ、光ディスク等）および／または揮発性記憶装置（例えばダイナミックランダムアクセスメモリ（ＤＲＡＭ））といった１つ以上のコンピュータ読み取り可能なデータ格納媒体であり得るデータ格納システム１２０６を含み得る。データ処理システム１２０２がプロセッサ（例えばマイクロプロセッサ）を含む実施形態では、コンピュータプログラム製品１２３３が提供され得る。コンピュータプログラム製品は、非限定的に、磁気媒体（例えばハードディスク）、光媒体（例えばＤＶＤ）、メモリデバイス（例えばランダムアクセスメモリ）等といったデータ格納システム１２０６のコンピュータ読み取り可能な媒体１２４２に格納された、コンピュータプログラムを実装するコンピュータ読み取り可能なプログラムコード１２４３（例えば命令）を含む。いくつかの実施形態では、コンピュータ読み取り可能なプログラムコード１２４３は、データ処理システム１２０２により実行された場合に、コード１２４３が、データ処理システム１２０２に、ここに記載するステップを実行させるように構成される。いくつかの実施形態では、ＭＭＥノードは、コートに対する必要なしに、上述したステップを実行するように構成され得る。例えば、データ処理システム１２０２は、１つ以上の特定用途向け集積回路（ＡＳＩＣ）といった特殊なハードウェアから単に構成され得る。したがって、上述した本発明の特徴は、ハードウェアおよび／またはソフトウェアにおいて実装され得る。
【００６６】
例示的な無線通信デバイス（ＷＣＤ）
【００６７】
図１３は、例示的なＷＣＤ１０６のブロック図を示す。図１６に示すように、ＷＣＤ１０６は、データ処理システム（ＤＰＳ）１６０２（例えば、１つ以上のプロセッサ１６５５（例えば、マイクロプロセッサ）および／または、特定用途向け集積回路（ＡＳＩＣ）、フィールドプログラマブルゲートアレイ（ＦＰＧＡ）等といった１つ以上の回路を含み得るデジタル信号プロセッサ（ＤＳＰ）を含む）、それぞれ無線で情報を送信し情報を受信するためのアンテナ１６２２と接続する送受信器１６０５、非一時的メモリユニット（例えば、ハードディスク、フラッシュメモリ、光ディスク等）および／または揮発性記憶装置（例えばダイナミックランダムアクセスメモリ（ＤＲＡＭ））といった１つ以上のコンピュータ読み取り可能なデータ格納媒体を含み得るデータ格納システム１６０６を含み得る。
【００６８】
データ処理システム１６０２がプロセッサ１６５５（例えばマイクロプロセッサ）を含む実施形態では、コンピュータプログラム製品１６３３が提供され得る。当該コンピュータプログラム製品は、データ格納システム１６０６のコンピュータ読み取り可能な媒体（非限定的に、磁気媒体（例えばハードディスク）、光媒体（例えばＤＶＤ）、メモリデバイス（例えばランダムアクセスメモリ）等）に格納されている、コンピュータプログラムを実装するコンピュータ読み取り可能なプログラムコード１６４３（例えば命令）を含む。いくつかの実施形態では、コンピュータ読み取り可能なプログラムコード１６４３は、データ処理システム１６０２により実行される場合に、コード１６４３がデータ処理システム１６０２にここに説明したステップを実行させるように構成される。
【００６９】
いくつかの実施形態では、ＷＣＤ１０６は、コード１６４３に対する必要なしに、上述したステップを実行するように構成され得る。例えば、データ処理システム１６０２は、１つ以上の特定用途向け集積回路（ＡＳＩＣ）といった特殊なハードウェアから単に構成され得る。したがって、上述した本発明の特徴は、ハードウェアおよび／またはソフトウェアにおいて実装され得る。例えば、いくつかの実施形態では、上述したＷＣＤの機能的構成要素は、プログラムコード１６４３を実行するデータ処理システム１６０２により、または、コンピュータプログラムコード１６４３を無関係に動作するデータ処理システム１６０２により、または、ハードウェアおよび／またはソフトウェアのあらゆる適切な組み合わせにより、実装され得る。第２の実施形態では、ＷＣＤ１０６は、更に、１）データ処理システム１６０２がＷＣＤ１０６のユーザに情報を表示することができるようにデータ処理システム１６０２に接続された表示スクリーン、２）データ処理システム１６０２がＵＥ１６０２のユーザへ音声を出力することができるようにデータ処理システム１６０２に接続されたスピーカ、３）データ処理システム１６０２がユーザから音声を受けることができるようにデータ処理システム１６０２に接続されたマイクロフォン、を含む。
【００７０】
例示的なＳＣＥＦノード
【００７１】
図１４は、例示的なＳＣＥＦノード１０７のブロック図を示す。図１４に示すように、干渉軽減コントローラは、１つ以上のプロセッサ１４５５（例えば、マイクロプロセッサ、および／または、特定用途向け集積回路（ＡＳＩＣ）、フィールドプログラマブルゲートアレイ（ＦＰＧＡ）等といった１つ以上の回路）を含み得るデータ処理システム１７０２、ＭＭＥとの通信のための通信インタフェース１４０５、ＳＣＳ／ＡＳ１０９とのインタフェースのためのインタフェース１４０３、非一時的データ格納装置（例えば、ハードディスク、フラッシュメモリ、光ディスク等）および／または揮発性記憶装置（例えばダイナミックランダムアクセスメモリ（ＤＲＡＭ））といった１つ以上のコンピュータ読み取り可能なデータ格納媒体であり得るデータ格納システム１４０６を含み得る。データ処理システム１４０２がプロセッサ１６５５（例えばマイクロプロセッサ）を含む実施形態では、コンピュータプログラム製品１４３３が提供され得る。当該コンピュータプログラム製品は、データ格納システム１４０６のコンピュータ読み取り可能な媒体（非限定的に、磁気媒体（例えばハードディスク）、光媒体（例えばＤＶＤ）、メモリデバイス（例えばランダムアクセスメモリ）等）に格納されている、コンピュータプログラムを実装するコンピュータ読み取り可能なプログラムコード１４４３（例えば命令）を含む。いくつかの実施形態では、コンピュータ読み取り可能なプログラムコード１４４３は、データ処理システム１４０２により実行される場合に、コード１４４３がデータ処理システム１４０２にここに説明したステップを実行させるように構成される。いくつかの実施形態では、ＳＣＥＦノードは、コード１４４３に対する必要なしに、上述したステップを実行するように構成され得る。例えば、データ処理システム１４０２は、１つ以上の特定用途向け集積回路（ＡＳＩＣ）といった特殊なハードウェアから単に構成され得る。したがって、上述した本発明の特徴は、ハードウェアおよび／またはソフトウェアにおいて実装され得る。
【００７２】
例示的な基地局
【００７３】
図１５は、基地局の実施形態のブロック図である。図１５に示すように、基地局（例えば、ｅＮＢ／ＮＢ１０３）は、１つ以上のプロセッサ１５５５（例えば、汎用マイクロプロセッサ、および／または、特定用途向け集積回路（ＡＳＩＣ）、フィールドプログラマブゲートアレイ（ＦＰＧＡ）等といった１つ以上の他のデータ処理回路）を含み得るコンピュータシステム（ＣＳ）１５０２と、ネットワークノードをネットワーク（例えばコアネットワーク）と接続する際およびネットワークに接続された他のユニットと通信する際に使用するためのネットワークインタフェース１５０５、ＷＣＤと無線で通信するためのアンテナと接続された送受信器１５０７、１つ以上の非揮発性記憶デバイスおよび／または１つ以上の揮発性記憶デバイス（例えばランダムアクセスメモリ（ＲＡＭ））を含み得る、ネットワーク管理ノード（例えばＮＭまたはＤＭ）から受信された情報（例えばネットワークスライス情報）を格納するためのデータ格納システム１５０６を含み得る。コンピュータシステム１５０２が汎用マイクロプロセッサを含む実施形態において、コンピュータプログラム製品（ＣＰＰ）１５４１が提供され得る。ＣＰＰ１５４１は、コンピュータ読み取り可能な命令（ＣＲＩ）１５４４を含むコンピュータプログラム（ＣＰ）１５４３を格納するコンピュータ読み取り可能な媒体（ＣＲＭ）１５４２を含む。ＣＲＭ１５４２は、非一時的なコンピュータ読み取り可能な媒体（すなわち、磁気媒体（例えばハードディスク）、光媒体（例えばＤＶＤ）、フラッシュメモリ等）であり得る。いくつかの実施形態では、コンピュータプログラム１５４３のＣＲＩ１５４４は、データ処理システム１５０２により実行された場合に、ＣＲＩＩがコンピュータシステムにここに説明した工程を実行させるように構成される。他の実施形態では、コンピュータシステム１５０２は、単に１つ以上のＡＳＩＣから構成され得る。したがって、ここに説明した実施形態の特徴は、ハードウェアおよび／またはソフトウェアにおいて実装され得る。
【００７４】
TS 23.401 4.3.7.4.2.1の概要
【００７５】
ＮＡＳレベル混雑制御は、“ＡＰＮベースの混雑制御”および“一般的なＮＡＳレベルモビリティ管理制御”の機能を有する。
【００７６】
ＡＰＮベースの混雑制御の利用は、特定のＡＰＮに伴うＵＥに関連付けられたＥＭＭとＥＳＭシグナリング混雑の回避または対処のためである。ＵＥとネットワークの両方は、ＡＰＮベースのＥＭＭとＥＳＭ混雑制御を回避し処理するためである。
【００７７】
ＭＭＥは、ＡＰＮに関連付けられたＮＡＳシグナリング混雑を検出し、以下の基準に基づいてＡＰＮベースの混雑制御の実行を開始および停止する。すなわち、ＡＰＮ毎のアクティブＥＰＳベアラの最大数、ＡＰＮ毎のＥＰＳベアラアクティベーションの最大レート、ＰＮの１つまたは複数のＰＤＮ  ＧＷがＭＭＥの混雑に到達しないまたは示されないこと、特定の加入したＡＰＮを伴うデバイスと関連付けられたＭＭシグナリング要求の最大レート、および／またはネットワーク管理における設定、である。
【００７８】
ＭＭＥは、特定のグループに属するＵＥに関連付けられたＮＡＳシグナリングの混雑を検出し得る。ＭＭＥは、以下のような基準に基づいてグループ特定のＮＡＳレベル混雑制御の実行を開始および停止し得る。すなわち、グループおよびＡＰＮ毎のアクティブＥＰＳベアラの最大数、特定のグループと特定の加入ＡＰＮのデバイスに関連付けられたＭＭおよびＳＭシグナリング要求の最大レート、および／またはネットワーク管理における設定、である。
【００７９】
ＭＭＥは、特定のグループに属し、特定のＡＰＮに加入されているＵＥに関連付けられたＮＡＳシグナリング制御を検出し得る。ＭＭＥは、以下のような基準に基づいて、グループ特定のＮＡＳレベル混雑制御の実行を開始および停止し得る。すなわち、グループおよびＡＰＮ毎のアクティブＥＰＳベアラの最大数、特定のグループと特定の加入ＡＰＮのデバイスに関連付けられたＭＭおよびＳＭシグナリング要求の最大レート、および／または、ネットワーク管理における設定、である。
【００８０】
ＭＭＥは、高優先度のアクセスおよび緊急なサービスに対するＮＡＳレベル混雑制御を適用すべきではない。
【００８１】
一般的なＮＡＳレベルモビリティ管理制御を伴い、ＭＭＥは、一般的な混雑制御下で、ＮＡＳレベルモビリティ管理シグナリング要求の拒否も使用し得る。
【００８２】
TS 23.401 4.3.7.4.1a  ダウンリンクデータ通知要求の絞り
【００８３】
普通でない環境下（例えば、ＭＭＥの負荷が、オペレータが設定した閾値を超えた場合）では、ＭＭＥは、設定された場合に、ＳＧＷが生成するシグナリング負荷を制限し得る。
【００８４】
ＭＭＥは、アイドルモードにおけるＵＥに対する非優先的なトラフィック、または、ＭＭＥへ更にオフロードするために、ダウンリンクデータ通知要求を拒否することができる。ＭＭＥは、ダウンリンクデータ通知ＡＣＫメッセージにおいて特定された、絞りファクタに従って、および、絞り遅延に対して、アイドルモードにおけるＵＥに対して受信されたダウンリンク非優先的トラフィックに対して送信するダウンリンクデータ通知要求の数を選択的に減らすようにＳＧＷに要求することができる。
【００８５】
ＳＧＷは、ベアラが、ベアラのＡＲＰ優先度レベルおよびオペレータポリシー（すなわち、優先的または非優先的トラフィックとして考慮されるＡＲＰ優先度レベルのＳＧＷにおけるオペレータの設定）に基づいて、ダウンリンクデータ通知要求の絞りを受けるかを判定する。絞りの間、ＳＧＷは、それらの優先度により、低いおよび一般的な優先度のベアラに対するダウンリンクデータ通知要求を絞ることとなる。ＭＭＥは、ＳＧＷから受信されたＡＲＰ優先度レベルおよびオペレータポリシーに基づいて、ダウンリンクデータ通知要求が優先的なトラフィックまたは非優先的なトラフィックかを判定する。
【００８６】
ＩＳＲがＵＥに対してアクティブでない場合、絞り遅延の間、ＳＧＷは、絞りファクタに比例して、そのＭＭＥによりサービスを受ける、接続されたユーザプレーンではない（すなわち、ＳＧＷコンテキストデータは、ダウンリンクユーザプレーンＴＥＩＤを示さない）として知られるＵＥに対する全てのその非優先的なベアラ上で受信されたダウンリンクパケットを破棄し、絞られていないベアラに対してのみＭＭＥへダウンリンクデータ通知メッセージを送信する。
【００８７】
ＩＳＲがＵＥに対してアクティブである場合、絞り遅延の間、ＳＧＷは、ＤＤＮをＭＭＥに送信せず、ＤＤＮをＳＧＳＮに送信するのみである。ＭＭＥとＳＧＳＮの両方が負荷の削減を要求する場合、ＳＧＷは、絞りファクタに比例して、接続されたユーザプレーンでない（すなわち、ＳＧＷコンテキストデータはダウンリンクユーザプレーンＴＥＩＤを示さない）として知られるＵＥに対する全てのその非優先的ベアラで受信されたダウンリンクパケットを破棄する。
【００８８】
ＳＧＷは、絞り遅延の満了時に、一般的な動作を再開する。最後に受信した絞りファクタと絞り遅延の値は、ＭＭＥから受信したあらゆる先の値に取って代わる。絞り遅延の受信により、そのＭＭＥに関連付けられたＳＧＷタイマーが再開する。
【００８９】
TS 23.401 4.3.7.4 過負荷のＭＭＥ制御
【００９０】
4.3.7.4.1 概要
【００９１】
ＭＭＥは、過負荷の状況を避けるためおよび処理するためのメカニズムを含む。これらは、ＵＥからのＮＡＳ要求を拒否するためのＮＡＳシグナリングの使用を含むことができる。
【００９２】
加えて、普通ではない環境下では、ＭＭＥは、過負荷の制限が可能なように構成された場合、そのｅＮＢがその上で生成している負荷を制限することとなる。これは、ＭＭＥがＳ１インタフェース接続を有するｅＮＢの全てまたはある割合に対して、ＭＭＥがＳ1インタフェース過負荷手順（TS 36.300 [5]とTS 36.413 [36]を参照）を呼び出すことにより達成されることが可能である。ＭＭＥが削減しようと希望する負荷の量を反映するために、ＭＭＥは、Ｓ１インタフェース過負荷開始メッセージが送信されるｅＮＢの割合および過負荷開始メッセージの内容を調節することができる。
【００９３】
ＭＭＥは、ランダムにｅＮＢを選択すべきである（よって、プールエリア内の２つのＭＭＥが過負荷状態である場合に、それらは過負荷開始メッセージを正確に同じセットのｅＮＢに送信しない）。
【００９４】
ＭＭＥは、オプション的に、過負荷開示メッセージにおいて、トラフィック負荷削減指標を含み得る。このケースでは、ｅＮＢは、もしサポートされていれば、要求されたパーセンテージに従って、示されたトラフィックのタイプを削減することとなる（TS 36.413 [36]を参照）（ＭＭＥの実装は、規格のリリース９とより前のバージョンに準拠するｅＮＢがパーセンテージの過負荷指標をサポートしないことを考慮すべき必要があり得る）。
【００９５】
過負荷開始メッセージを使用して、ＭＭＥは、ｅＮＢに対して、非緊急および非高優先度モバイルに起因したサービスのためのＲＲＣ接続要求を拒否し（これはＰＳサービスとＥＰＳ／ＩＭＳＩアタッチ手順に従うＭＳＣにより提供されるサービスをブロックする）、そのＭＭＥに対する（例えばＴＡ更新のための）ＥＰＳモビリティ管理シグナリングに対する新しいＲＲＣ接続要求を拒否し、緊急性のセッションに対するＲＲＣ接続要求とそのＭＭＥに対するモバイル着のサービスのみを許可する。これは、ＵＥが、それらのＨＰＬＭＮ／ＥＨＰＬＭＮにいる場合に、アクセスクラス１１および１５が供給されているＵＳＩＭを伴うＵＥからの緊急性のセッションの要求、および、ＵＥが、それらの自国にいる場合に、アクセスクラス１２、１３、および１４が供給されているＵＳＩＭを伴うＵＥからの緊急性のセッションをブロックし（ＩＭＳＩのＭＣＣパートとして定義される。TS 22.011 [67]参照）（ＭＭＥは、ページングを開始するイベントのある割合に対するページングメッセージを送信しないことにより、ページングの応答の数を削減することができる。このプロセスの一部として、ＭＭＥは、緊急性ベアラサービスとＭＰＳ  ＡＲＰに関連付けられた終端を伴うＵＥをページングすることに対しを優先することができる。）、高い優先度のセッションに対するＲＲＣ接続要求とそのＭＭＥに対するモバイル着のサービスのみを許可し、低いアクセスの優先度を有するネットワークへアクセスするＵＥからの新しいＲＲＣ接続要求を拒否する。
【００９６】
過負荷の理由に対してＲＲＣ接続要求を拒否する場合、ｅＮＢは、しばらくの間、更なるＲＲＣ接続要求を制限する適切なタイマー値をＵＥに知らせる。
【００９７】
ｅＮＢは、TS 36.331 [37]に規定されるような、あるＵＥに対するＲＲＣ接続確立の拒否をサポートする。加えて、ｅＮＢは、TS 22.011 [67]において記載されているように、拡張アクセス規制に対して構成されたＵＥの規制に対するサポートを提供する。これらのメカニズムは、更に、TS 36.331 [37]において規定されている。
【００９８】
ｅＮＢは、このｅＮＢに、接続されている全てのＭＭＥが低いアクセス優先度でネットワークにアクセスするＵＥに対する負荷を制限することを要求する場合、または、Ｏ＆Ｍにより要求される場合、拡張アクセス規制を開始し得る。
【００９９】
ＭＭＥが、低いアクセス優先度でネットワークにアクセスするＵＥに対する負荷を制限するためのＳ１インタフェース過負荷手順を起こす場合、ＭＭＥは、ＭＭＥがＳ１インタフェース接続を有する全てのｅＮＢを選択すべきである。また、選択されたｅＮＢは、ＭＭＥがＳ１インタフェース接続（例えば、特定の位置エリア、または、対象のタイプのデバイスが登録されているエリア）を有するｅＮＢのサブセットに限定され得る。
【０１００】
過負荷の状況の間は、ＭＭＥは、緊急なベアラサービス（4.3.1節を参照）およびＭＰＳ（4.3.18節を参照）に対するサポートを維持しようと試行すべきではない。
【０１０１】
ＭＭＥが回復しつつあるとき、ＭＭＥは、より多くのトラフィックを伝搬することを許容する新しいパーセンテージ値で過負荷開始メッセージを、ｅＮＢのいくつかまたは全てに送信することができる。または、ＭＭＥは、ｅＮＢのいくつかまたは全てに過負荷停止メッセージを送信することができる。
【０１０２】
加えて、ネットワークを過負荷から守るために、ＭＭＥは、低いアクセス優先度インジケータ無しで、ＮＡＳ要求メッセージを拒否する前に、低いアクセス優先権インジケータを含むＮＡＳ要求メッセージを拒否するオプションを有する。（更なる情報は4.3.7.4.2を参照）（モビリティ管理バックオフタイマーが動いている場合、音声サービスが、モバイル着の呼に対して利用可能であることを保証することはできない。ＵＥは、低いアクセス優先度に対して構成されていない音声サービスを必要とすることが望ましい。）
【０１０３】
本開示の種々の観点および実施形態を上記に説明したが、それらは例示のための手法により示したものであり、限定的でないことは理解されるだろう。したがって、本開示の幅および範囲は、上述した例示的な実施形態のいずれかにより制限されるべきではない。さらに、本開示に説明した要素のあらゆる可能なバリエーションでの組み合わせは、ここに示さない限り、または文脈により明確に矛盾しない限り、本開示により含まれる。
【０１０４】
追加的に、ここに説明し、図で示したプロセスは、一連のステップとして示したものであり、説明の目的のためにだけになされるものである。したがって、いくつかのステップが追加され、いくつかのステップが省略され、ステップの順序は再構成され、いくつかのステップは並列に実行されることが検討される。
【０１０５】
本出願の利点は、非限定的に以下を含む。
【０１０６】
本出願の利点は、一般的には、レート制御、混雑制御、および／または、ＵＥからのＵＬデータおよびＳＣＥＦからのＤＬデータのフロー制御を提供することである。
【０１０７】
３ＧＰＰシステムの制御プレーンが、アップリンクのスモールデータを送信するＣＩｏＴデバイス（ＵＥ）により過負荷とならないことが利点である。それは、ＭＭＥとＵＥとの間、およびｅＮＢとＵＥとの間の制御シグナリングを送信するシステムの能力に厳しい影響を与え得る。更に、ＳＣＥＦを用いることは、過度なＤＬデータが送信され、レート制御がトリガされた場合に、ＤＬ送信が３ＧＰＰネットワークの端でブロックされることを意味する。よって、追加的なネットワークリソースを浪費しない。
【０１０８】
レート制御がＵＥ（ＣＩｏＴデバイス）を含むことも利点であり、すなわち、過度なデータが送信され制御がトリガされた場合に、ＵＬ送信をＵＥにおいてブロックし、それより追加的な無線リソースを浪費することがない。
【０１０９】
３ＧＰＰシステムの制御プレーンが、ダウンリンクのスモールデータをＣＩｏＴデバイス（ＵＥ）に送信するインターネットまたはパケットデータネットワーク（ＰＤＮ）上のサーバにより過負荷とならないことが利点である。それは、ＭＭＥとＵＥとの間、およびｅＮＢとＵＥとの間の制御シグナリングを送信するシステムの能力に厳しい影響を与え得る。
【０１１０】
いくつかの実施形態の簡潔な説明
【０１１１】
１）ＭＭＥにより実行されるレート制御方法
【０１１２】
１つの観点では、モビリティ管理エンティティ（ＭＭＥ）により実行されるレート制御方法が提供される。１つの実施形態では、方法は、ＭＭＥが無線通信デバイス（ＷＣＤ）により送信されたＵＬ  ＮＡＳメッセージ（例えばアタッチ要求）を受信することを含む。方法は更に、ＭＭＥが、前記ＵＬ  ＮＡＳメッセージを受信した後に、ダウンリンク（ＤＬ）ＮＡＳメッセージを生成し、当該ＤＬ  ＮＡＳメッセージを当該ＷＣＤに向かって送信することを含む。ＭＭＥにより送信されたＤＬ  ＮＡＳメッセージは、ある時間期間内で、ＷＣＤがＭＭＥに送信することが許容されているユーザデータを含むＵＬ  ＮＡＳメッセージの数を示す情報を含む。
【０１１３】
いくつかの実施形態では、当該ＤＬ  ＮＡＳメッセージに含まれる当該情報により示されるＵＬ  ＮＡＳメッセージの数はゼロである。いくつかの実施形態では、ＭＭＥにより送信されたＤＬ  ＮＡＳメッセージは、ある時間期間を示す情報を含む。いくつかの実施形態では、ＷＣＤにより送信されたＵＬ  ＮＡＳメッセージは、ユーザデータを含み、方法は更に、ＭＭＥがユーザデータを別のデバイスに転送することを含む。いくつかの実施形態では、方法は更に、ＭＭＥが、ＷＣＤにより送信された第２のＵＬ  ＮＡＳメッセージであって、別のデバイスを対象としたユーザデータを含む第２のＵＬ  ＮＡＳメッセージを受信することと、ＭＭＥが、ＭＭＥがユーザデータを別のデバイスに転送しないユーザデータを破棄することを含む。
【０１１４】
２）別のＭＭＥの方法
【０１１５】
別の観点では、シグナリングの混雑に対してモビリティ管理エンティティ（ＭＭＥ）ノードにおいて実行される方法が提供される。１つの実施形態では、方法は、ＭＭＥノードがＷＣＤにより送信された第１の制御プレーンメッセージ（非アクセス層（ＮＡＳ）アタッチ要求メッセージ等のＮＡＳメッセージ）を受信することを含み、当該第１の制御プレーンメッセージは、ＭＭＥノードにより別のデバイスへ中継される対象のアップリンク（ＵＬ）データ（例えばユーザプレーンデータ）を含む。方法は、第１の制御メッセージを受信した後に、ＭＭＥノードが、第２の制御メッセージ（例えばＮＡＳアタッチ受け入れメッセージ）を作成することを含む。当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、ｉｉ）ＷＣＤがＭＭＥへのあらゆる将来の制御プレーンメッセージにおけるあらゆるＵＬデータを含む前にどれくらいの時間待機すべきかを示す絞り遅延、のうちの少なくともいずれかを識別する。方法は更に、ＭＭＥノードが、絞りファクタと絞り遅延の少なくとも１つを含む第２の制御プレーンメッセージを送信することを含む。当該第２の制御プレーンメッセージは、ＷＣＤを対象とする。
【０１１６】
いくつかの実施形態では、方法は更に、ＭＭＥノードが、ＭＭＥノードとＷＣＤとの間の制御シグナリングの混雑が所定の閾値より悪化したかを判定することを含み、絞りファクタまたは絞り遅延を含む第２の制御プレーンメッセージを送信するステップは、ＷＣＤから第１の制御プレーンメッセージを受信し、混雑が所定の閾値より悪化したと判定したことに応答して実行される。
【０１１７】
いくつかの実施形態では、方法は更に、ＭＭＥノードは、ＷＣＤが所定の最大データ割り当てまたは最大データレートを超えたかを判定することを含む。ここで、絞りファクタまたは絞り遅延を含む第２の制御プレーンメッセージを送信するステップは、ＷＣＤから第１の制御プレーンメッセージを受信し、ＷＣＤが所定の最大データ割り当てまたは最大データレートを超えたと判定したことに応答して行われる。
【０１１８】
いくつかの実施形態では、方法は更に、第２の制御プレーンメッセージを送信した後に、ＭＭＥノードが、絞りファクタも絞り遅延も含まない第３の制御プレーンメッセージを送信することを含む。ここで、絞りファクタと絞り遅延を省略することは、１つ以上のＷＣＤが制御プレーンメッセージにおいてＵＬデータの絞りを停止することができることを示す。
【０１１９】
いくつかの実施形態では、方法は更に、第２の制御プレーンメッセージを送信した後に、ＭＭＥノードが、別の絞りファクタまたは別の絞り遅延を含む第３の制御プレーンメッセージを送信することを含む。ここで、別の絞り遅延は、第２の制御プレーンメッセージにおける絞り遅延を上書きし、別の絞りファクタは、第２の制御プレーンメッセージにおける絞りファクタを上書きする。
【０１２０】
いくつかの実施形態では、絞りファクタは、ＭＭＥノードが絞りの停止を示すまで、ＷＣＤがＭＭＥノードへのあらゆる将来の制御プレーンメッセージにおいてＵＬデータを含めるべきではないことを示す。
【０１２１】
いくつかの実施形態では、方法は更に、ＭＭＥノードが、ＭＭＥノードとＭＭＥノードにアタッチされた１つ以上のＷＣＤとの間の制御プレーンにおいてＵＬデータを制限する最大ビットレート（ＭＢＲ）を決定すること、および、ＭＭＥが決定したＭＢＲに基づいて絞りファクタまたは絞り遅延を決定することを含む。
【０１２２】
いくつかの実施形態では、制御プレーンメッセージは、ＲＲＣメッセージにおいてＷＣＤによりｅＮＢへペイロードとして送信され、アップリンクＳ１−ＡＰメッセージにおいてｅＮＢからＭＭＥノードへペイロードとして中継された非アクセス層（ＮＡＳ）メッセージである。
【０１２３】
３）ＷＣＤにより実行される方法
【０１２４】
別の観点では、シグナリングの混雑に対して無線通信デバイス（ＷＣＤ）において実行される方法が提供される。いくつかの実施形態では、方法は、ＷＣＤが、モビリティ管理エンティティ（ＭＭＥ）ノードにより別のデバイスへ中継する対象のアップリンク（ＵＬ）データを含む第１の制御プレーンメッセージを送信することを含む。第１の制御プレーンメッセージは、ＭＭＥノードを対象とする。方法は更に、ＷＣＤが、モビリティ管理エンティティ（ＭＭＥ）から送信された第２の制御プレーンメッセージを受信することを含む。当該第２の制御プレーンメッセージは、ｉ）ＷＣＤがＭＭＥノードへのあらゆる将来の制御プレーンメッセージにおけるＵＬデータの量を減らすべきレベルを示す絞りファクタ、ｉｉ）ＷＣＤが基地局またはＭＭＥへのあらゆる将来の制御プレーンメッセージにおけるあらゆるＵＬデータを含む前にどれくらいの時間待機すべきかを示す絞り遅延、のうちの少なくともいずれかを含む。方法は更に、第２の制御プレーンメッセージを受信した後に、ＷＣＤが、絞りファクタに基づくＵＬデータの量を伴う、または、絞り遅延に基づいてセットされたタイマーが満了していない場合にゼロの量のＵＬデータを伴う第３の制御プレーンメッセージを送信することを含む。当該第３の制御プレーンメッセージは、ＭＭＥノードを対象とする。
【０１２５】
いくつかの実施形態では、方法は更に、第２の制御プレーンメッセージを受信した後に、ＷＣＤが、ＭＭＥノードから送信された第３の制御プレーンメッセージを受信することを含む。当該第３の制御プレーンメッセージは、絞りファクタも絞り遅延も含まない。また、当該方法は、第３の制御プレーンメッセージを受信した後に、ＷＣＤがＭＭＥノードに向けて、ＵＬデータを含む第４の制御プレーンメッセージを送信することを含む。当該ＵＬデータの量は、絞りファクタまたは絞り遅延に基づくものではない。
【０１２６】
いくつかの実施形態では、方法は、第２の制御プレーンメッセージを送信した後に、ＷＣＤが、ＭＭＥノードから送信された第３の制御プレーンメッセージを受信することを含む。当該第３の制御プレーンメッセージは、別の絞りファクタまたは別の絞り遅延を含む。ここで、別の絞り遅延は、第２の制御プレーンメッセージにおける絞り遅延を上書きし、別の絞りファクタは、第２の制御プレーンメッセージにおける絞りファクタを上書きする。
【０１２７】
４）ＳＣＥＦにリンクされるＭＭＥにより実行される方法
【０１２８】
別の観点では、サービス能力開示機能（ＳＣＥＦ）ノードおよび１つ以上の無線通信デバイス（ＷＣＤ）にリンクされるモビリティ管理エンティティ（ＭＭＥ）ノードにおいて実行される方法が提供される。１つの実施形態では、方法は、ＭＭＥノードが、１つ以上の絞り基準が満たされるか（例えば、ＭＭＥノードと１つ以上のＷＣＤの間の制御シグナリングの混雑が所定の閾値より悪化するか）を判定することを含む。方法は更に、１つ以上の絞り基準が満たされたと判定したことに応答して（例えば、制御シグナリングの混雑が予め決定された閾値より悪化した場合）、ＭＭＥノードが、ｉ）ＳＣＥＦノードがＭＭＥノードへのダウンリンク（ＤＬ）データ配信要求の数を減らすべきレベルを示す絞りファクタ、および、ｉｉ）ＳＣＥＦノードがあらゆる将来のデータ配信要求をＭＭＥノードへ送信する前にどれくらいの時間待機すべきかを示す絞り遅延、の少なくともいずれかを含む、第１のデータ配信メッセージ（例えば、ＭＴ  ＮＩＤＤ応答またはＮＩＤＤ提出ダウンリンクＡＣＫメッセージ）を作成する。方法は更に、ＭＭＥが、絞りファクタと絞り遅延の少なくともいずれかを含む、第１のデータ配信メッセージを送信することを含む。当該第１のデータ配信メッセージは、ＳＣＥＦノードを対象とする。
【０１２９】
いくつかの実施形態では、第１のデータ配信メッセージにおける絞りファクタまたは絞り遅延は、１つ以上のＷＣＤの１つに配信される非インターネットプロトコル（非ＩＰ）データを含む、ＳＣＥＦからの要求を適用する。
【０１３０】
いくつかの実施形態では、第１のデータ配信メッセージは、モバイル着（ＭＴ）の非ＩＰ配信（ＮＩＤＤ）確認応答メッセージであり、絞られるＤＬデータ配信要求は、１つ以上のＷＣＤに対するＤＬデータを含むＭＴ  ＮＩＤＤ配信要求である。
【０１３１】
いくつかの実施形態では、方法は更に、ＳＣＥＦから、先のデータ配信要求を受信することを含み、第１のデータ配信メッセージを送信するステップは、混雑が所定の閾値より悪化したと判定し、先のデータ配信要求を受信したことに応答したものである。
【０１３２】
いくつかの実施形態では、方法は更に、ＭＭＥノードが、絞りファクタと絞り遅延の少なくともいずれかを含む第１のデータ配信メッセージを送信した後に、絞りファクタも絞り遅延も含まない第２のデータ配信メッセージを送信することを含む。ここで、絞りファクタおよび絞り遅延を省略することは、ＳＣＥＦノードが、ＭＭＥノードへのデータ配信要求を絞ることを停止することができることを示す。
【０１３３】
いくつかの実施形態では、方法は更に、ＭＭＥノードが、絞りファクタと絞り遅延の少なくともいずれかを含む第１のデータ配信メッセージを送信した後に、別の絞りファクタまたは別の絞り遅延を含む第２のデータ配信メッセージを送信することを含む。ここで、別の絞りファクタは、第１のデータ配信メッセージにおける絞りファクタを上書きし、別の絞り遅延は、第１のデータ配信メッセージにおける絞り遅延を上書きする。
【０１３４】
いくつかの実施形態では、方法は更に、ＭＭＥノードが、ＭＭＥノードと１つ以上のＷＣＤとの間の制御プレーンにおいてＤＬデータを制限する最大ビットレート（ＭＢＲ）を決定すること、および、ＭＭＥが、決定されたＭＢＲに基づいて絞りファクタまたは絞り遅延を決定することを含む。
【０１３５】
５）ＳＣＥＦにより実行される方法
【０１３６】
別の観点では、サービス開示能力機能（ＳＣＥＦ）ノードにより実行され方法が提供される。１つの実施形態では、方法は、ＳＣＥＦが、モビリティ管理エンティティ（ＭＭＥ）ノードから送信された第１のデータ配信メッセージ（例えばＮＩＤＤ提出ＡＣＫメッセージまたはＭＴ  ＮＩＤＤ応答メッセージ）を受信することを含む。当該第１のデータ配信メッセージは、少なくともｉ）ＳＣＥＦノードがＭＭＥノードへのダウンリンク（ＤＬ）データ配信要求の数を減らすべきレベルを示す絞りファクタ、およびｉｉ）ＳＣＥＦノードがあらゆる将来のデータ配信要求をＭＭＥノードへ送信する前にどれくらいの時間待機すべきかを示す絞り遅延、の少なくともいずれかを含む。方法は更に、第２の制御プレーンメッセージを受信した後、ＳＣＥＦが、絞りファクタに基づいてＭＭＥノードへ送信されるデータ配信要求の数を削減するか、絞り遅延に基づくタイマーが満了していない場合はＭＭＥへあらゆるデータ配信要求を送信することを停止することを含む。
【０１３７】
いくつかの実施形態では、方法は更に、第１のデータ配信メッセージを受信した後に、ＳＣＥＦノードが、ＭＭＥノードから、絞りファクタも絞り遅延も含まない第２のデータ配信メッセージを受信すること、および、第２のデータ配信メッセージを受信した後に、ＳＣＥＦノードが、ＭＭＥノードへのデータ配信要求の絞りを停止することを含む。
【０１３８】
いくつかの実施形態では、方法は更に、第１のデータ配信メッセージを受信した後に、ＳＣＥＦノードが、ＭＭＥノードから送信された第２のデータ配信メッセージを受信することを含む。当該第２のデータ配信メッセージは、別の絞りファクタまたは別の絞り遅延を含む。ここで、別の絞り遅延は、第１のデータ配信メッセージにおける絞り遅延を上書きし、別の絞りファクタは、第１のデータ配信メッセージにおける絞りファクタを上書きする。
【０１３９】
６）ＭＭＥにより実行される別の方法
【０１４０】
別の観点では、シグナリングの混雑を管理するためのモビリティ管理エンティティ（ＭＭＥ）において実行される方法が提供される。当該ＭＭＥは、基地局を介して、１つ以上の無線通信デバイス（ＷＣＤ）と制御シグナリングを交換するように構成される。方法は、ＭＭＥノードが、ＭＭＥノードと１つ以上のＷＣＤとの間の制御シグナリングの混雑が、所定の閾値より悪化したかを判定することを含む。方法は更に、混雑が所定の閾値より悪化したと判定したことに応答して、ＭＭＥが、基地局は制御プレーンメッセージにおいてアップリンク（ＵＬ）データを送信するためにＭＭＥノードへアクセスするためにＷＣＤにより使用される無線リソース制御（ＲＲＣ）接続要求を拒否すべきであることを示す、過負荷開始メッセージを生成することを含む。方法は更に、ＭＭＥノードが、過負荷開始メッセージを基地局へ送信することを更に含む。いくつかの実施形態では、過負荷制御プレーンメッセージは、一般的な優先度レベルを有するＵＬデータを送信するためにＭＭＥノードへアクセスするためにＷＣＤにより使用されるＲＲＣ接続要求に適用する。
【０１４１】
９）基地局の方法
【０１４２】
別の観点では、ＭＭＥノードと１つ以上の無線通信デバイス（ＷＣＤ）にリンクされた基地局において、シグナリングの混雑を管理するために実行される方法が提供される。方法は、基地局が、ＭＭＥノードから送信された過負荷開始メッセージを受信することを含む。当該メッセージは、基地局が制御プレーンメッセージにおいてアップリンク（ＵＬ）データを送信するためにＭＭＥノードへのアクセスのためにＷＣＤにより使用される無線リソース制御（ＲＲＣ）接続要求を拒否すべきであることを示す。当該方法は、過負荷開始メッセージを受信した後、基地局が、ＷＣＤの１つから、制御プレーンメッセージを含むＲＲＣ接続要求を受信することと、基地局が、制御プレーンメッセージがＵＬデータを含むかを判定することと、制御プレーンメッセージがＵＬデータを含むと判定したことに応答して、基地局がＲＲＣ接続要求を拒否することを含む。
【０１４３】
１０）別のＭＭＥの方法
【０１４４】
別の観点では、シグナリングの混雑を管理するために、モビリティ管理エンティティ（ＭＭＥ）において実行される方法が提供される。方法は、ＭＭＥノードが、１つ以上の絞り基準が満たされているかを判定することと、１つ以上の絞り基準が満たされていると判定したことに応答して、ＭＭＥノードが、制御メッセージ（例えば、ＮＡＳアタッチ受け入れメッセージ）を作成することを含む。当該制御プレーンメッセージは、ｉ）ＷＣＤが、ＭＭＥノードへのあらゆる将来の制御プレーンメッセージにおいてＵＬデータの量を削減すべきレベルを示す絞りファクタ、および、ｉｉ）ＭＭＥへのあらゆる将来の制御プレーンメッセージにおいてあらゆるＵＬデータを含む前にどれくらいの時間ＷＣＤは待機すべきかを示す絞り遅延、の少なくとも何れかを識別する。また、当該方法は、ＭＭＥノードが、絞りファクタと絞り遅延のすくなくともいずれかを含む制御プレーンメッセージを送信することを含む。当該制御プレーンメッセージはＷＣＤを対象とする。いくつかの実施形態では、１つ以上の絞り基準は、ｉ）ＭＭＥノードとＷＣＤとの間の制御シグナリングの混雑が所定の閾値より悪化したか、および、ｉｉ）ＷＣＤは所定の最大データ割り当てまたは最大データレートを超えているか、のうちの少なくともいずれかを含む。
【０１４５】
１１）別のＷＣＤの方法
【０１４６】
別の観点では、シグナリングの混雑を管理するために、無線通信デバイス（ＷＣＤ）において実行される方法が提供される。方法は、ＷＣＤが、モビリティ管理エンティティ（ＭＭＥ）から送信された第１の制御プレーンメッセージを受信することであって、当該第１の制御プレーンメッセージが、ｉ）ＷＣＤが、ＭＭＥノードへのあらゆる将来の制御プレーンメッセージにおけるＵＬデータの量を削減すべきレベルを示す絞りファクタ、および、ｉｉ）ＷＣＤが、基地局またはＭＭＥノードへのあらゆる将来の制御プレーンメッセージにおけるＵＬデータを含む前にどれくらいの時間待機すべきかを示す絞り遅延、のうち少なくともいずれかを含む。当該第１の制御プレーンメッセージは、１つ以上の絞り基準が満たされたことに応答して送信される。方法は更に、第１の制御プレーンメッセージを受信した後に、ＷＣＤが、絞りファクタに基づくＵＬデータの量（例えばゼロの量のＵＬデータ）を伴う、または、絞り遅延に基づいてセットされたタイマーが満了していない場合にゼロの量のＵＬデータを伴う第２の制御プレーンメッセージを送信することを含む。当該第２の制御プレーンメッセージは、ＭＭＥノードを対象とする。
【０１４７】
１２）別のＭＭＥの方法
【０１４８】
別の観点では、サービス能力開示機能（ＳＣＥＦ）ノードと１つ以上の無線通信デバイス（ＷＣＤ）にリンクされたモビリティ管理エンティティ（ＭＭＥ）ノードにおいて実行される方法が提供される。方法は、ＭＭＥノードが、ＳＣＥＦノードにより送信された第１のデータ配信要求を受信することであって、当該第１のデータ配信要求は１つ以上のＷＣＤのうちの１つを対象としたＤＬデータを含む、ことと、第１のデータ配信要求を受信した後に、ＭＭＥノードが、ｉ）ＭＭＥノードへのダウンリンク（ＤＬ）データ配信要求の数をＳＣＥＦノードが削減すべきレベルを示す絞りファクタ、および、ｉｉ）ＭＭＥノードへのあらゆる将来のデータ配信要求を送信する前にＳＣＥＦノードがどれくらいの時間待機すべきかを示す絞り遅延、のうちの少なくともいずれかを含む第１のデータ配信応答メッセージを作成することと、ＭＭＥノードが、絞りファクタと絞り遅延の少なくともいずれかを含む第１のデータ配信応答メッセージを送信することを含む。第１のデータ配信メッセージは、ＳＣＥＦノードを対象とする。
【０１４９】
１３）別のＭＭＥの方法
【０１５０】
別の観点では、ＣＮ過負荷制御に対する方法が提供される。１つの実施形態では、方法は、ネットワークノード（例えばＭＭＥ）が、負荷が閾値に達したかを判定することを含む。方法は更に、負荷が閾値に達したと判断した後に、基地局が制御プレーンＣＩｏＴ  ＥＰＳ最適化を介したデータ転送のためにＷＣＤにより送信された要求を拒否するように、ネットワークノードが基地局を構成するための情報を含む過負荷開始メッセージを、基地局に送信することを含む。
【０１５１】
１４）別の基地局の方法
【０１５２】
別の観点では、ＣＮ過負荷制御に対する方法が提供される。１つの実施形態では、方法は、基地局が、制御プレーンＣＩｏＴ  ＥＰＳ最適化を介して、データ転送のための要求を拒否し得ることを示す情報を含む過負荷開始メッセージを、ネットワークノード（例えばＭＭＥ）から受信することを含む。方法は更に、過負荷開始メッセージを受信した後に、基地局が、制御プレーンＣＩｏＴ  ＥＰＳ最適化を介したデータ転送に対する要求を、ＷＣＤから受信することを含む。方法は更に、ＷＣＤにより送信された要求を受信することに応答して、基地局が要求を拒否することを含む。
【０１５３】
１５）ＭＭＥノード
【０１５４】
別の観点では、ここに開示したモビリティ管理エンティティ（ＭＭＥ）の方法のいずれか１つを実行するために構成された１つ以上のプロセッサを含むＭＭＥが提供される。
【０１５５】
１６）ＷＣＤ
【０１５６】
別の観点では、ここに開示した無線通信デバイス（ＷＣＤ）の方法のいずれか１つを実行するために構成された１つ以上のプロセッサを含むＷＣＤが提供される。
【０１５７】
１７）ＳＣＥＦノード
【０１５８】
別の観点では、ここに開示したＳＣＥＦの方法を実行するために構成された１つ以上のプロセッサを含むＳＣＥＦノードが提供される。
【０１５９】
１８）基地局
【０１６０】
別の観点では、ここに開示した基地局の方法のいずれか１つを実行するために構成された１つ以上のプロセッサを含む基地局が提供される。
【図１】
2019506076.tif 000003
【図２】
2019506076.tif 000004
【図３】
2019506076.tif 000005
【図４】
2019506076.tif 000006
【図５】
2019506076.tif 000007
【図６】
2019506076.tif 000008
【図７】
2019506076.tif 000009
【図８】
2019506076.tif 000010
【図９】
2019506076.tif 000011
【図１０】
2019506076.tif 000012
【図１１】
2019506076.tif 000013
【図１２】
2019506076.tif 000014
【図１３】
2019506076.tif 000015
【図１４】
2019506076.tif 000016
【図１５】
2019506076.tif 000017
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）（１０５）において実行されるレート制御方法であって、
前記ＭＭＥが、無線通信デバイス（ＷＣＤ）により送信されたアップリンク（ＵＬ）非アクセス層（ＮＡＳ）メッセージを受信すること（３０２）と、
前記ＭＭＥが、前記ＵＬ  ＮＡＳメッセージを受信したことに応答して、ＤＬ  ＮＡＳメッセージを生成し（３０６）、前記ＤＬ  ＮＡＳメッセージを前記ＷＣＤに向かって送信すること（３０８）を含み、前記ＭＭＥにより送信された前記ＤＬ  ＮＡＳメッセージは、ある時間期間内で、前記ＷＣＤが前記ＭＭＥに送信することが許容されているユーザデータを含むＵＬ  ＮＡＳメッセージの数を示す情報を含む、方法。
【請求項２】
請求項１に記載のレート制御方法であって、前記ＤＬ  ＮＡＳメッセージに含まれる前記情報により示される前記ＵＬ  ＮＡＳメッセージの数はゼロである、方法。
【請求項３】
請求項１または２に記載のレート制御方法であって、前記ＵＬ  ＮＡＳメッセージはアタッチ要求を含む、方法。
【請求項４】
請求項１から３のいずれか１項に記載のレート制御方法であって、前記ＭＭＥにより送信された前記ＤＬ  ＮＡＳメッセージは、前記ある時間期間を示す情報を含む、方法。
【請求項５】
請求項１から４のいずれか1項に記載の方法であって、
前記ＷＣＤにより送信された前記ＵＬ  ＮＡＳメッセージは、ユーザデータを含み、
前記方法は更に、前記ＭＭＥが、前記ユーザデータを別のデバイスに転送することを含む、方法。
【請求項６】
請求項１から４のいずれか１項にレート制御方法であって、更に、
前記ＭＭＥが、前記ＷＣＤにより送信された第２のＵＬ  ＮＡＳメッセージを受信することであって、前記第２のＵＬ  ＮＡＳメッセージは別のデバイス対象のユーザデータを含む、ことと、
前記ＭＭＥが、前記ＭＭＥが前記別のデバイスへ前記ユーザデータを転送しないように、前記ユーザデータを破棄することを含む、方法。
【請求項７】
モビリティ管理エンティティ（ＭＭＥ）（１０５）であって、
無線通信デバイス（ＷＣＤ）により送信されたアップリンク（ＵＬ）非アクセス層（ＮＡＳ）メッセージを受信するように動作可能なネットワークインタフェース（１２０５）と、
１つ以上のプロセッサ（１４５５）を含むデータ処理システム（１２０２）とを含み、前記データ処理システムは、前記ＭＭＥが前記ＵＬ  ＮＡＳメッセージを受信することに応答して、前記データ処理システムが、
ダウンリンク（ＤＬ）ＮＡＳメッセージを生成し、
前記ネットワークインタフェースを使用して前記ＤＬ  ＮＡＳメッセージを前記ＷＣＤに向けて送信するように構成され、
前記ＤＬ  ＮＡＳメッセージは、ある時間期間内で、前記ＷＣＤが前記ＭＭＥに送信することが許容されているユーザデータを含むＵＬ  ＮＡＳメッセージの数を示す情報を含む、ＭＭＥ。
【請求項８】
請求項７に記載のＭＭＥであって、前記ＤＬ  ＮＡＳメッセージに含まれる前記情報により示される前記ＵＬ  ＮＡＳメッセージの数はゼロである、ＭＭＥ。
【請求項９】
請求項７または８に記載のＭＭＥであって、前記ＵＬ  ＮＡＳメッセージはアタッチ要求を含む、ＭＭＥ。
【請求項１０】
請求項７から９のいずれか１項に記載のＭＭＥであって、前記ＤＬ  ＮＡＳメッセージは前記ある時間期間を示す情報を含む、ＭＭＥ。
【請求項１１】
請求項７から１０のいずれか１項に記載のＭＭＥであって、
前記ＷＣＤにより送信された前記ＵＬ  ＮＡＳメッセージは、ユーザデータを含み、
前記データ処理システムは更に、前記ユーザデータを別のデバイスに転送するように構成される、ＭＭＥ。
【請求項１２】
請求項７から１０のいずれか１項に記載のＭＭＥであって、
ＭＭＥが、前記ＷＣＤにより送信された第２のＵＬ  ＮＡＳメッセージであって、別のデバイスを対象としたユーザデータを含む第２のＵＬ  ＮＡＳメッセージを受信することに応答して、前記データ処理システムは、前記ＭＭＥが前記ユーザデータを前記別のデバイスに転送しないように前記ユーザデータを破棄するように構成される、ＭＭＥ。
【請求項１３】
コアネットワーク（ＣＮ）の過負荷制御に対する方法であって、前記方法は、
ネットワークノード（１０５）が、負荷が閾値に達したかを判定すること（１００２）と、
前記負荷が前記閾値に達したと判定した後に、前記ネットワークノードが、基地局に対して、制御プレーンＣＩｏＴ  ＥＰＳの最適化を介したデータ転送のために、前記基地局が無線通信デバイス（ＷＣＤ）により送信された要求を拒否するように、前記基地局を構成するための情報を含む過負荷開始メッセージを送信すること（１００８）を含む、方法。
【請求項１４】
請求項１３に記載の方法であって、前記ネットワークノードは、モビリティ管理エンティティ（ＭＭＥ）である、方法。
【請求項１５】
モビリティ管理エンティティ（ＭＭＥ）（１０５）であって、
第1の無線通信デバイス（ＷＣＤ）により送信されたアップリンク（ＵＬ）非アクセス層（ＮＡＳ）メッセージを受信するように動作可能なネットワークインタフェース（１２０５）と、
１つ以上のプロセッサ（１４５５）を含むデータ処理システム（１２０２）とを含み、前記データ処理システムは、負荷が閾値に達したと判定した後に、前記データ処理システムが、
過負荷開始メッセージを生成し、
前記ネットワークインタフェースを使用して前記過負荷開始メッセージを基地局に送信するように構成され、
前記過負荷開始メッセージは、制御プレーンＣＩｏＴ  ＥＰＳ最適化を介したデータ転送のために、前記基地局がＷＣＤにより送信された要求を拒否するように前記基地局を構成するための情報を含む、ＭＭＥ。
【請求項１６】
コアネットワーク（ＣＮ）の過負荷制御に対する方法（１１００）であって、前記方法は、
基地局（１０３）が、制御プレーンＣＩｏＴ  ＥＰＳ最適化を介したデータ転送のために、前記基地局が要求を拒否し得ることを示す情報を含む過負荷開始メッセージを、ネットワークノード（１０５）から受信すること（１１０２）と、
前記過負荷開始メッセージを受信した後に、前記基地局が、制御プレーンＣＩｏＴ  ＥＰＳ最適化を介したデータ転送のために、ＷＣＤから要求を受信すること（１１０４）と、
前記ＷＣＤから送信された前記要求を受信したことに応答して、前記基地局が、前記要求を拒否することを含む、方法。
【請求項１７】
基地局（１０３）であって、
データを無線通信デバイスに送信し、前記ＷＣＤから送信されたメッセージを受信するための送受信器（１５０７）と、
ネットワークノード（１０５）から送信された過負荷開始メッセージを受信するように動作可能なネットワークインタフェース（１２０５）であって、前記過負荷開始メッセージは、制御プレーンＣＩｏＴ  ＥＰＳ最適化を介したデータ転送のために、前記基地局がＷＣＤから送信された要求を拒否し得ることを前記基地局に示すための情報を含む、ネットワークインタフェースと、
１つ以上のプロセッサ（１４５５）を含むデータ処理システム（１２０２）を含み、前記データ処理システムは、前記基地局が前記過負荷開始メッセージを受信した後に、前記データ処理が、前記基地局が前記過負荷開始メッセージを受信した後にＷＣＤから受信された制御プレーンＣＩｏＴ  ＥＰＳ最適化を介したデータ伝送に対する要求を拒否するように前記基地局を構成するように構成される、基地局。
【国際調査報告】
2019506076.tif 000018
2019506076.tif 000019
2019506076.tif 000020